(57)【要約】【課題】競合する動作が複数ある場合に、予め定められた手順又は使用者の指示に従って実施することができる電子装置を提供すること。【解決手段】映像出力部２０５、音声出力部２０６及び記録部２０７を制御する出力・記録制御部２０４と、テレビ放送受信部２０１、テレビ放送再生部２０２、映像音声入力部２０３及び出力・記録制御部２０４を制御する競合動作制御部２０９と、ユーザー操作部２１３とを備え、競合動作制御部２０９は状態検知部２１０により映像音声入力とテレビ放送受信との競合状態を検知し、動作処理テーブル２１１又はユーザー操作部２１３からの入力により動作処理指示部２１２が動作処理指示を行って、映像音声入力とテレビ放送受信とを制御する。【選択図】図２
2008099107.tif 000002
【特許請求の範囲】
【請求項１】
映像を表示する映像表示手段と、
音声を出力する音声出力手段と、
映像音声を記録媒体に記録する記録手段と、
前記映像表示手段、前記音声出力手段及び前記記録手段を制御する出力・記録制御手段と、
テレビ放送を受信するテレビ放送受信手段と、
受信した前記テレビ放送を再生するテレビ放送再生手段と、
映像入力部と音声入力部とを有して映像と音声とを入力する映像音声入力手段と、
前記テレビ放送受信手段、前記テレビ放送再生手段、前記映像音声入力手段及び前記出力・記録制御手段を制御する競合動作制御手段と、
ユーザー操作手段とを備え、
前記競合動作制御手段は状態検知部、動作処理テーブル及び動作処理指示部を有し、
映像音声入力とテレビ放送受信とを同時に行う場合に、前記状態検知部により映像音声入力とテレビ放送受信との競合状態を検知し、前記動作処理テーブル又は前記ユーザー操作手段からの入力により前記動作処理指示部が動作処理指示を行って、映像音声入力とテレビ放送受信とを制御することを特徴とする電子装置。
【請求項２】
更に無線通信を行う無線手段を備え、
前記競合動作制御手段は更に前記無線手段を制御し、
前記無線手段はテレビ放送を外部の録画装置で記録するように指示し、
前記録画装置で記録した前記テレビ放送をダウンロードすることを特徴とする請求項１に記載の電子装置。
【請求項３】
前記出力・記録制御手段は、更にテレビ放送映像音声と入力映像音声とを同時に表示出力することを特徴とする請求項１に記載の電子装置。
【請求項４】
前記出力・記録制御手段は、更にテレビ放送映像音声と入力映像音声とを合成して表示出力することを特徴とする請求項１に記載の電子装置。
【請求項５】
前記出力・記録制御手段は、更にテレビ放送映像音声と入力映像音声とを切り替えることを特徴とする請求項１又は請求項２に記載の電子装置。
【請求項６】
前記競合動作制御手段は、映像音声入力中に、テレビ放送の視聴又は録画を開始した場合に、入力映像とテレビ放送映像とをそれぞれの表示領域に同時に表示し、映像音声入力とテレビ放送の視聴又は録画とを同時に行うことを特徴とする請求項３に記載の電子装置。
【請求項７】
前記競合動作制御手段は、映像音声入力中に、テレビ放送の視聴又は録画を開始した場合に、入力映像からテレビ放送映像に表示を切り替え、映像音声入力とテレビ放送の視聴又は録画とを同時に行うことを特徴とする請求項５に記載の電子装置。
【請求項８】
前記競合動作制御手段は、映像音声入力中に、テレビ放送の視聴又は録画を開始した場合に、テレビ放送映像を表示せずに入力映像を継続して表示して、映像音声入力を継続することを特徴とする請求項５に記載の電子装置。
【請求項９】
前記競合動作制御手段は、映像音声入力中に、テレビ放送の視聴又は録画を開始した場合に、映像音声入力を停止して、テレビ放送映像を表示し、テレビ放送音声を出力することを特徴とする請求項５に記載の電子装置。
【請求項１０】
前記競合動作制御手段は、映像音声入力中に、テレビ放送の視聴又は録画を開始した場合に、入力映像とテレビ放送映像とを合成して表示し、入力音声とテレビ放送音声とを合成して出力し、テレビ放送の視聴又は録画をしつつ、合成された映像音声を入力することを特徴とする請求項４に記載の電子装置。
【請求項１１】
前記競合動作制御手段は、映像音声入力中に、テレビ放送の視聴又は録画を開始した場合に、テレビ放送映像を表示せず入力映像を継続して表示し、入力音声とテレビ放送音声とを合成して出力し、テレビ放送を録画して映像音声入力終了後に視聴することを特徴とする請求項５に記載の電子装置。
【請求項１２】
前記競合動作制御手段は、映像音声入力中に、テレビ放送の視聴又は録画を開始した場合に、テレビ放送映像を表示せず入力映像を継続して表示し、テレビ放送を外部の録画装置で録画するように指示し、映像音声入力終了後にテレビ放送の視聴又は録画を再開し、前記記録装置で録画されたテレビ放送を視聴する場合はダウンロードして再生しつつ視聴又は録画を行い、後で視聴する場合にはダウンロードして保存して視聴又は録画を継続することを特徴とする請求項５に記載の電子装置。
【請求項１３】
前記競合動作制御手段は、テレビ放送の視聴又は録画中に、映像音声入力を開始した場合に、入力映像とテレビ放送映像とをそれぞれの表示領域に同時に表示し、映像音声入力とテレビ放送の視聴又は録画とを同時に行うことを特徴とする請求項３に記載の電子装置。
【請求項１４】
前記競合動作制御手段は、テレビ放送の視聴又は録画中に、映像音声入力を開始した場合に、テレビ放送映像から入力映像に表示を切り替え、映像音声入力とテレビ放送の視聴又は録画とを同時に行うことを特徴とする請求項５に記載の電子装置。
【請求項１５】
前記競合動作制御手段は、テレビ放送の視聴又は録画中に、映像音声入力を開始した場合に、入力映像を表示せずにテレビ放送映像を継続して表示し、映像音声入力とテレビ放送の視聴又は録画とを同時に行うことを特徴とする請求項５に記載の電子装置。
【請求項１６】
前記競合動作制御手段は、テレビ放送の視聴又は録画中に、映像音声入力を開始した場合に、テレビ放送の視聴又は録画を停止し、映像音声入力に切り替え、入力映像を表示し、映像音声入力を行うことを特徴とする請求項５に記載の電子装置。
【請求項１７】
前記競合動作制御手段は、テレビ放送の視聴又は録画中に、映像音声入力を開始した場合に、入力映像とテレビ放送映像とを合成して表示し、入力音声とテレビ放送音声とを合成して出力し、テレビ放送の視聴又は録画をしつつ、合成された映像音声を入力することを特徴とする請求項４に記載の電子装置。
【請求項１８】
前記競合動作制御手段は、テレビ放送の視聴又は録画中に、映像音声入力を開始した場合に、テレビ放送映像を表示せず入力映像を表示し、入力音声とテレビ放送音声とを合成して出力し、テレビ放送を録画して映像音声入力終了後に視聴することを特徴とする請求項５に記載の電子装置。
【請求項１９】
前記競合動作制御手段は、テレビ放送の視聴又は録画中に、映像音声入力を開始した場合に、テレビ放送映像を表示せずに入力映像を表示し、テレビ放送を外部の録画装置で録画するよう指示し、映像音声入力終了後にテレビ放送の視聴を再開し、前記記録装置で録画されたテレビ放送を視聴する場合にはダウンロードして再生しつつ視聴も行い、後で視聴する場合にはダウンロードして保存して視聴を継続することを特徴とする請求項５に記載の電子装置。
【請求項２０】
前記出力・記録制御手段は、更にテレビ放送音声を有音出力するか無音出力するか選択することができることを特徴とする請求項１乃至請求項１９のいずれかに記載の電子装置。
【発明の詳細な説明】
【技術分野】
【０００１】
本発明は、映像や音声を入力する手段とテレビ放送を受信する手段とを有する携帯端末装置などの電子装置に関する。
【背景技術】
【０００２】
近年、電子装置は多機能化している。例えばテレビ放送受信機能とテレビ電話機能とを有する画像表示装置が知られている。この画像表示装置は、テレビ放送信号とテレビ電話信号とを受信することができ、これらの信号を分離して、ひとつ又は複数の表示部の複数の領域に同時に画像を表示することができる。また、この画像表示装置は、テレビ放送信号を受信中にテレビ電話信号の着信があった場合に、テレビ放送の視聴よりもテレビ電話を優先させることができる。その場合には、テレビ放送信号を記録しておき、テレビ電話後にテレビ放送信号を再生して、テレビ電話によるテレビ放送の視聴中断を防ぐことができる（例えば、特許文献１参照）。
【特許文献１】特開２００１−８６４７５号公報
【発明の開示】
【発明が解決しようとする課題】
【０００３】
しかしながら、特許文献１記載の画像表示装置は、使用者がテレビ放送の視聴とテレビ電話とのどちらを優先させるか選択することができず、例えば緊急テレビ放送があった場合にテレビ放送の視聴を優先させてテレビ電話を拒否することができなかった。
【０００４】
本発明は、前記従来の課題を解決するもので、競合する動作が複数ある場合に、予め定められた手順又は使用者の指示に従って実施することができる電子装置を提供することを目的とする。
【課題を解決するための手段】
【０００５】
本発明の電子装置は、映像を表示する映像表示手段と、音声を出力する音声出力手段と、映像音声を記録媒体に記録する記録手段と、映像表示手段、音声出力手段及び記録手段を制御する出力・記録制御手段と、テレビ放送を受信するテレビ放送受信手段と、受信したテレビ放送を再生するテレビ放送再生手段と、映像入力部と音声入力部とを有して映像と音声とを入力する映像音声入力手段と、テレビ放送受信手段、テレビ放送再生手段、映像音声入力手段及び出力・記録制御手段を制御する競合動作制御手段と、ユーザー操作手段とを備え、競合動作制御手段は状態検知部、動作処理テーブル及び動作処理指示部を有し、映像音声入力とテレビ放送受信とを同時に行う場合に、状態検知部により映像音声入力とテレビ放送受信との競合状態を検知し、動作処理テーブル又はユーザー操作手段からの入力により動作処理指示部が動作処理指示を行って、映像音声入力とテレビ放送受信とを制御するものである。
【０００６】
この構成により、映像音声入力とテレビ放送受信とが競合した場合に、予め定められた手順又は使用者の指示に従って動作することができる。
【発明の効果】
【０００７】
本発明の電子装置は、映像音声入力とテレビ放送受信とが競合した場合に、予め定められた手順又は使用者の指示に従って動作することができるものである。
【発明を実施するための最良の形態】
【０００８】
（実施の形態１）
以下、本実施の形態１の電子装置について携帯端末装置を例に図面を参照して詳細に説明する。本実施の形態１の電子装置に係る携帯端末装置は、カメラ及びマイクによる映像音声入力機能と、テレビ放送受信機能とを有するものである。以下、カメラ及びマイクによる映像音声入力機能をカメラ撮影機能という。
【０００９】
図１は、本実施の形態１の電子装置に係る携帯端末装置の斜視図である。図１（ａ）は開いた状態の携帯端末装置１０１を斜め正面から見た斜視図である。図１（ｂ）は開いた状態の携帯端末装置１０１を斜め背面から見た斜視図である。図１（ｃ）は折りたたんだ状態の携帯端末装置１０１を斜め正面から見た斜視図である。
【００１０】
携帯端末装置１０１はその正面及び背面に表示領域１１１、１１２、１１３を有している。また、携帯端末装置１０１はその正面及び背面にカメラ１２１、１２２を有している。
【００１１】
図２は、本実施の形態１の電子装置に係る携帯端末装置の構成を示すブロック図である。
【００１２】
携帯端末装置１０１は、テレビ放送受信用のアンテナ２１４と、アンテナ２１４を介してテレビ放送信号を受信するテレビ放送受信部２０１と、テレビ放送信号の再生処理を行うテレビ放送再生部２０２と、カメラやマイクなどから映像信号や音声信号を入力する映像音声入力部２０３と、テレビ放送再生部２０２や映像音声入力部２０３からの映像信号や音声信号の表示出力や記録を制御する出力・記録制御部２０４と、映像信号を表示出力する映像出力部２０５と、音声信号を出力する音声出力部２０６と、映像信号や音声信号などのデータを記録する記録部２０７と、記録したデータを格納する記録媒体２０８と、テレビ放送受信部２０１とテレビ放送再生部２０２と映像音声入力部２０３と出力・記録制御部２０４とを制御する競合動作制御部２０９と、ユーザーによる操作を受け付けるユーザー操作部２１３とを有している。
【００１３】
競合動作制御部２０９は、テレビ放送受信機能とカメラ撮影機能との競合状態を検知する状態検知部２１０と、競合状態の定義と競合状態に応じた動作処理とが登録されている動作処理テーブル２１１と、動作処理テーブル２１１に登録された動作処理を実現するために各処理ブロックに指示を行う動作処理指示部２１２とを有している。
【００１４】
以下、携帯端末装置１０１の各ブロックを詳細に説明する。
【００１５】
テレビ放送受信部２０１は、アンテナ２１４を介してテレビ放送信号を受信する。テレビ放送再生部２０２は、デジタル放送受信の場合にはテレビ放送受信部２０１からのテレビ放送データを逆多重化し、映像信号・音声信号・その他のストリームに分離して復号化処理を行う。映像音声入力部２０３は、カメラやマイクなどから映像信号や音声信号を入力する。
【００１６】
出力・記録制御部２０４は、テレビ放送再生部２０２から入力されたテレビ放送の映像信号及び音声信号の出力、映像音声入力部２０３から入力された映像信号及び音声信号の出力、テレビ放送音声信号及び入力音声信号の制御、映像音声信号やその他のストリームの記録の制御などを行う。特に、映像信号の表示出力については、テレビ放送映像やカメラの入力映像をどの表示領域に表示するかの制御、これらの映像をどのようなレイアウトで表示するかの制御、レイアウトのための拡大・縮小・回転などの処理を行う制御、映像を合成して表示出力する制御を行う。
【００１７】
また、出力・記録制御部２０４は、音声についても同様に、テレビ放送の音声に対して通常出力かミュート（無音出力）かの制御を行う。また、ステレオ音声を左右どちらかのチャネルだけで出力したり、ステレオ音声をモノラル化して左右どちらか、もしくは、左右両方のチャネルで出力したりする制御を行う。また、出力・記録制御部２０４は、表示出力しているカメラ入力映像音声やテレビ放送映像音声を記録したり、表示出力していないカメラ入力映像音声やテレビ放送映像音声を記録したり、外部記録手段に記録指示する制御を行う。
【００１８】
映像出力部２０５は、映像を表示する単数もしくは複数の表示領域で構成される。音声出力部２０６は、音声を出力する単数もしくは複数のスピーカなどの出力装置で構成される。
【００１９】
記録部２０７は、映像音声入力部２０３やテレビ放送受信部２０１からの映像音声信号やその他の情報を携帯端末装置１０１本体の記録媒体及び着脱可能な記録媒体２０８に記録する。例えば、映像音声信号を符号化し、ＭＰ４ファイルフォーマットなどの形式に多重化して記録する。
【００２０】
競合動作制御部２０９は、テレビ放送受信機能とカメラ撮影機能とが競合状態になった場合に、どちらの機能を優先させるか、どのように両立させるかを決定し、そのための制御を行う。詳細には、状態検知部２１０で、テレビ放送受信機能とカメラ撮影機能との競合状態を検知し、競合状態をＩＤなどの識別子で定義し把握しておく。動作処理テーブル２１１には、テレビ放送中にカメラ撮影を開始した場合や、カメラ撮影中にテレビ放送視聴予定時間となった場合など、想定される競合状態とその競合状態に対する動作処理を設定する。これらの情報は、あらかじめ、又は、その都度ユーザー操作によって決められる。動作処理指示部２１２は、動作処理テーブル２１１の競合状態の識別子に応じた動作処理の識別子又は処理命令を参照して各ブロックへ処理を指示する。ある競合状態に対する動作処理は複数定義されており、それらの動作処理の中から動作処理テーブル２１１により動作処理が指定され、それを元に動作処理を指示する。
【００２１】
ユーザー操作部２１３は、テレビ受信機能やカメラ撮影機能などの操作はもとより、競合時の動作処理の指示などのユーザーによる操作を携帯端末装置１０１に反映する。
【００２２】
なお、テレビ放送再生部２０２において、調整フィルタにより復号化処理後の画質や音質を調整する調整処理を行ってもよい。
【００２３】
なお、記録部２０７において、符号化処理は複数並列に行ってもよいし、単数で行ってもよい。また、複数並列で行われた符号化データを複数並列に多重化し、単数のファイルに保存してもよいし、それぞれ独立の複数のファイルに保存してもよい。また、デジタル放送を記録する場合には、符号化せずにトランスポートストリームをそのまま記録してもよい。
【００２４】
なお、出力・記録制御部２０４において、全ての出力・記録制御は必須ではなく任意の組み合わせでよい。つまり、映像に対してのみ表示制御を行うものであってもよいし、音声に対してのみ出力制御を行うものであってもよい。また、画面構成に必要な図形データ、文字データ、アイコンデータ、メロディ、音声メッセージを合成するようにしてよい。記録についてもテレビ放送を記録できるようにしてもよいし、リソースが低い場合は、カメラ撮影のみ行うようにしてもよい。装置のリソースにあわせた制御の組み合わせでよい。
【００２５】
なお、動作処理テーブル２１１はユーザーが携帯電話装置の画面であらかじめ設定してＲＡＭ（Ｒａｎｄｏｍ  Ａｃｃｅｓｓ  Ｍｅｍｏｒｙ）に記録しておくこともできるし、機能の競合が発生した場合にユーザーがユーザー操作部２１３によりＲＡＭに設定することもできる。また、あらかじめＲＯＭ（Ｒｅａｄ  Ｏｎｌｙ  Ｍｅｍｏｒｙ）に固定情報として設定しておくこともできるし、ランダムに設定することも可能である。また、競合状態とそれに対する動作処理は、あらかじめ定義されたＩＤなどの識別子により管理され、装置の競合状態を示す状態ＩＤに応じて動作処理ＩＤを割り振ることにより決定される。動作処理については、ＩＤなどの識別子であってもよいし、具体的な動作処理コマンドであってもよい。
【００２６】
図３は、本実施の形態１の電子装置に係る携帯端末装置の動作処理テーブルの例を示した図である。図３（ａ）は、携帯端末装置１０１の状態を示した状態ＩＤ３０１と、その状態において制御する動作を示した動作処理ＩＤ３０２とからなる動作制御テーブル３０３である。図３（ｂ）は、携帯端末装置１０１の状態ＩＤ３０１の状態定義テーブル３０４である。図３（ｃ）は携帯端末装置１０１の動作処理ＩＤ３０２の動作定義テーブル３０５である。状態定義テーブル３０４、動作定義テーブル３０５はあらかじめ決めておき、ＩＤ番号を付与して管理する。
【００２７】
なお、動作制御テーブル３０３は使用者が携帯電話装置の画面においてあらかじめ設定しＲＡＭに記録しておくことも可能であるし、機能の競合が発生した場合に使用者がＲＡＭに設定することも可能である。また、あらかじめＲＯＭに固定情報として設定しておくこともできるし、ランダムに設定することも可能である。
【００２８】
図４は、本実施の形態１の電子装置に係る携帯端末装置の動作手順を示す図である。カメラ撮影機能とテレビ放送受信機能との競合動作状態での動作手順を示している。
【００２９】
まず、現在の動作モードがカメラ入力中であるかを判定する（ステップＳＴ４００）。カメラ入力中である場合（ステップＳＴ４００、ＹＥＳ）には、カメラ入力を継続する（ステップＳＴ４０１）。そして、競合動作が生じているかを判定する（ステップＳＴ４０２）。競合動作が生じていない場合（ステップＳＴ４０２、ＮＯ）には、ステップＳ４００に戻る。競合動作が生じている場合（ステップＳＴ４０２、ＹＥＳ）には、テレビ放送視聴を開始する（ステップＳＴ４０３）。テレビ放送視聴を開始する状態を競合状態ＩＤ＝０１と定め（ステップＳＴ４０４）、この競合状態ＩＤ＝０１に対する動作処理ＩＤを動作制御テーブル３０３からＩＤ＝０１ａ、０１ｂ、０１ｃ、０１ｄのいずれであるかを求め、動作処理ＩＤに対応する動作処理０１ａ（ステップＳＴ４０５）、動作処理０１ｂ（ステップＳＴ４０６）、動作処理０１ｃ（ステップＳＴ４０７）、動作処理０１ｄ（ステップＳＴ４０８）のいずれかを実行する。
【００３０】
一方、現在の動作モードがカメラ入力中でない場合（ステップＳＴ４００、ＮＯ）は、テレビ放送視聴を継続する（ステップＳＴ４０９）。そして、競合動作が生じているかを判定する（ステップＳＴ４１０）。競合動作が生じていない場合（ステップＳＴ４１０、ＮＯ）には、ステップＳ４００に戻る。競合動作が生じている場合（ステップＳＴ４１０、ＹＥＳ）には、カメラ入力を開始する（ステップＳＴ４１１）。カメラ入力が開始された状態を競合状態ＩＤ＝０２と定め（ステップＳＴ４１２）、この競合状態ＩＤ＝０２に対する動作処理ＩＤを動作制御テーブル３０３からＩＤ＝０２ａ、０２ｂ、０２ｃ、０２ｄのいずれであるかを求め、動作処理ＩＤに対応する動作処理０２ａ（ステップＳＴ４１３）、動作処理０２ｂ（ステップＳＴ４１４）、動作処理０２ｃ（ステップＳＴ４１５）、動作処理０２ｄ（ステップＳＴ４１６）のいずれかを実行する。
【００３１】
図５は、本実施の形態１の電子装置に係る携帯端末装置の動作処理０１ａの動作手順を示す図である。動作処理０１ａはカメラ入力中にテレビ放送視聴を開始する状態ＩＤ＝０１に対する動作処理である。
【００３２】
以下の説明において、カメラ入力中の状態では、カメラの入力映像を表示領域に表示し、マイクから音声を入力しているものとする。また、カメラ入力中とは、カメラによる撮影を行っている状態（カメラ撮影状態）とカメラによる撮影を行うことができる状態（カメラ撮影準備状態、例えばプレビュー等で映像を入力している状態）とを指す。
【００３３】
カメラ入力中にテレビ放送視聴を開始した場合に、動作処理０１ａでは、カメラ映像とテレビ映像とを同時に表示し、カメラ入力と同時にテレビ放送視聴を行う。
【００３４】
詳細な動作としては、カメラ入力を継続し（ステップＳＴ５０１、ＹＥＳ）、テレビ放送受信を開始して（ステップＳＴ５０３）、次にテレビ放送音声を有音とする場合（ステップＳＴ５０４、ＹＥＳ）は、テレビ放送映像をカメラの入力映像とは別の表示領域に同時表示し、テレビ放送音声を有音出力し（ステップＳＴ５０５）、カメラ映像表示とカメラ映像及びマイク音声の入力とを継続する（ステップＳＴ５０６）。ここで、Ｎはカウンタであり、初期値は１である。Ｎ＝１つまり初回のみテレビ受信開始処理を通るという意味である。以下の他の動作処理でも同様とする。
【００３５】
また、音声を無音とする場合（ステップＳＴ５０４、ＮＯ）は、テレビ放送映像をカメラの入力映像とは別の表示領域に同時表示し、テレビの音声を無音出力し（ステップＳＴ５０７）、カメラ映像表示とカメラ映像及びマイク音声の入力とを継続する（ステップＳＴ５０８）。
【００３６】
以上のように、テレビ放送映像とカメラ入力映像とを同時に別々の表示領域に表示しつつ、カメラ撮影を継続することができる。
【００３７】
テレビ放送視聴を終了した場合（ステップＳＴ５０９、ＹＥＳ）は、テレビ放送映像出力及びテレビ放送音声出力を停止し、テレビ放送受信を終了し（ステップＳＴ５１０）、カメラの入力映像表示と映像音声入力処理とを継続する（ステップＳＴ５１１）。また、テレビ放送受信中にカメラ入力を停止する場合（ステップＳＴ５０９、ＮＯ、ステップＳＴ５０１、ＮＯ）は、カメラの終了処理（保存処理）として、カメラ撮影状態の場合は、保存処理を行い、カメラを終了し、カメラ撮影準備状態の場合はカメラ入力を終了し（ステップＳＴ５１３）、テレビ放送映像を表示しテレビ放送音声の出力が継続される（ステップＳＴ５１４）。
【００３８】
図６は、本実施の形態１の電子装置に係る携帯端末装置の動作処理０１ｂの動作手順を示す図である。動作処理０１ｂはカメラ入力中にテレビ放送視聴を開始する状態ＩＤ＝０１に対する動作処理である。テレビ放送視聴を開始した場合に、動作処理０１ｂではカメラ映像の表示をテレビ映像の表示に切り替え、カメラ入力と同時にテレビ放送視聴を行う。
【００３９】
詳細な動作としては、カメラ入力を継続し（ステップＳＴ６０１、ＹＥＳ）、テレビ放送受信を開始し（ステップＳＴ６０３）、次にテレビ放送音声を有音とする場合（ステップＳＴ６０４、ＹＥＳ）は、テレビ放送映像をカメラの入力映像から切り替えて表示領域に表示し、テレビ放送音声を有音出力し（ステップＳＴ６０５）、カメラ映像を非表示のまま、カメラ映像及びマイク音声の入力を継続する（ステップＳＴ６０６）。また、音声を無音とする場合（ステップＳＴ６０４、ＮＯ）は、テレビ放送映像をカメラの入力映像から切り替えて表示領域に表示し、テレビの音声を無音出力し（ステップＳＴ６０７）、カメラ映像を非表示のまま、カメラ映像及びマイク音声の入力を継続する（ステップＳＴ６０８）。
【００４０】
以上のように、カメラ入力映像からテレビ放送映像へ表示を切り替え、カメラ映像及びマイク音声の入力を継続することができる。
【００４１】
ここでカメラ撮影準備状態の場合は、カメラ映像を表示しないが、撮影開始を行うことができる。また、カメラ撮影状態の場合は、カメラ撮影映像を表示しないが、撮影映像の記録を装置内部で行う。
【００４２】
テレビ放送視聴を終了した場合（ステップＳＴ６０９、ＹＥＳ）は、テレビ放送映像出力及びテレビ放送音声出力を停止し、テレビ放送受信を終了し（ステップＳＴ６１０）、カメラの入力映像を再表示し、カメラ映像及びマイク音声の入力を継続する（ステップＳＴ６１１）。また、テレビ放送受信中にカメラ入力を停止する場合（ステップＳＴ６０９、ＮＯ、ステップＳＴ６０１、ＮＯ）は、カメラの終了処理（保存処理）を行い、カメラを終了し（ステップＳＴ６１３）、テレビ放送映像を表示してテレビ放送音声の出力を継続する（ステップＳＴ６１４）。
【００４３】
図７は、本実施の形態１の電子装置に係る携帯端末装置の動作処理０１ｃの動作手順を示す図である。動作処理０１ｃはカメラ入力中にテレビ放送視聴を開始する状態ＩＤ＝０１に対する動作処理である。テレビ放送視聴を開始した場合に、動作処理０１ｃではカメラ映像を優先させて表示を継続し、テレビ映像を非表示にし、カメラ入力と同時にテレビ放送視聴を行う。
【００４４】
詳細な動作としては、カメラ入力を継続し（ステップＳＴ７０１、ＹＥＳ）、テレビ放送受信を開始する（ステップＳＴ７０３）。次にテレビ放送音声を有音とする場合（ステップＳＴ７０４、ＹＥＳ）は、テレビ放送映像を非表示にしてテレビ放送音声を有音出力し（ステップＳＴ７０５）、カメラ映像を表示し、カメラ映像及びマイク音声の入力を継続する（ステップＳＴ７０６）。また、音声を無音とする場合（ステップＳＴ７０４、ＮＯ）は、テレビ放送映像を非表示にしてテレビ放送音声を無音出力し（ステップＳＴ７０７）、カメラ映像を表示し、カメラ映像及びマイク音声の入力を継続する（ステップＳＴ７０８）。
【００４５】
以上のように、カメラ入力映像を継続表示し、テレビ放送映像の表示を行わず音声出力又は一時的に視聴を中止することにより、カメラ映像及びマイク音声の入力を継続することができる。
【００４６】
テレビ放送視聴を終了した場合（ステップＳＴ７０９、ＹＥＳ）は、テレビ放送映像出力及びテレビ放送音声出力を停止し、テレビ放送受信を終了し（ステップＳＴ７１０）、カメラの入力映像を表示継続し、カメラ映像及びマイク音声の入力を継続する（ステップＳＴ７１１）。また、テレビ放送受信中にカメラ入力を停止する場合（ステップＳＴ７０９、ＮＯ、ステップＳＴ７０１、ＮＯ）は、カメラの終了処理（保存処理）を行い、カメラを終了し（ステップＳＴ７１３）、テレビ放送映像を表示してテレビ放送音声の出力を継続する（ステップＳＴ７１４）。
【００４７】
図８は、本実施の形態１の電子装置に係る携帯端末装置の動作処理０１ｄの動作手順を示す図である。動作処理０１ｄはカメラ入力中にテレビ放送視聴を開始する状態ＩＤ＝０１に対する動作処理である。テレビ放送視聴を開始した場合に、動作処理０１ｄではカメラ入力そのものを停止し、テレビ映像を表示してテレビ放送視聴を行う。
【００４８】
詳細な動作としては、カメラ撮影状態であれば保存処理を行って、カメラを終了し、カメラ撮影準備状態にあればカメラを終了し（ステップＳＴ８０１）、テレビ放送受信を開始し（ステップＳＴ８０２）、テレビ放送映像を表示してテレビ放送音声の出力を開始し、テレビ放送視聴を行う（ステップＳＴ８０３）。ここで、テレビ放送音声の有音、無音の選択はテレビ放送受信機能単体に備わっている設定であり省略する。
【００４９】
テレビ放送視聴を終了した場合（ステップＳＴ８０４、ＹＥＳ）は、テレビ放送映像出力及びテレビ放送音声出力を停止してテレビ放送受信を終了し（ステップＳＴ８０５）、カメラを再起動する場合（ステップＳＴ８０６、ＹＥＳ）は、カメラを起動し、カメラ映像音声を初期化し（ステップＳＴ８０７）、カメラ映像を表示し、カメラ映像及びマイク音声の入力を再開する（ステップＳＴ８０８）。
【００５０】
図９は、本実施の形態１の電子装置に係る携帯端末装置の動作処理０２ａの動作手順を示す図である。動作処理０２ａはテレビ視聴中にカメラ入力を開始する状態ＩＤ＝０２に対する動作処理である。カメラを起動した場合に、動作処理０２ａでは、カメラ映像とテレビ映像とを同時に表示し、カメラ入力と同時にテレビ放送視聴を行う。
【００５１】
詳細な動作としては、テレビ放送受信を継続し（ステップＳＴ９０１、ＹＥＳ）、カメラを起動してカメラ映像音声を初期化する（ステップＳＴ９０３）。次にテレビ放送音声を有音とする場合（ステップＳＴ９０４、ＹＥＳ）は、テレビ放送映像をカメラの入力映像とは別の表示領域に同時表示してテレビ放送音声を有音出力し（ステップＳＴ９０５）、カメラ映像を表示してカメラ映像及びマイク音声の入力を行う（ステップＳＴ９０６）。また、音声を無音とする場合（ステップＳＴ９０４、ＮＯ）は、テレビ放送映像をカメラの入力映像とは別の表示領域に同時表示してテレビの音声を無音出力し（ステップＳＴ９０７）、カメラ映像を表示してカメラ映像及びマイク音声の入力を行う（ステップＳＴ９０８）。  
【００５２】
以上のように、テレビ放送映像とカメラ入力映像とを同時に別々の表示領域に表示しつつ、カメラ映像及びマイク音声の入力を継続することができる。
【００５３】
カメラ入力を終了する場合（ステップＳＴ９０９、ＹＥＳ）は、カメラ撮影状態の場合は保存処理を行いカメラ入力を終了し、カメラ撮影準備状態の場合はカメラ入力を終了し（ステップＳＴ９１０）、テレビ放送映像を表示してテレビ放送音声の出力を継続する（ステップＳＴ９１１）。また、カメラ入力中にテレビ放送受信を停止する場合（ステップＳＴ９０９、ＮＯ、ステップＳＴ７０１、ＮＯ）は、テレビ放送映像出力及びテレビ放送音声出力を停止してテレビ放送受信を終了し（ステップＳＴ９１３）、カメラ映像を表示してカメラ映像及びマイク音声の入力を継続する（ステップＳＴ９１４）。
【００５４】
図１０は、本実施の形態１の電子装置に係る携帯端末装置の動作処理０２ｂの動作手順を示す図である。動作処理０２ｂはテレビ視聴中にカメラ入力を開始する状態ＩＤ＝０２に対する動作処理である。カメラを起動した場合に、動作処理０２ｂでは、テレビ映像の表示をカメラ映像の表示に切り替え、テレビ放送視聴と同時にカメラ入力を行う。
【００５５】
詳細な動作としては、テレビ放送受信を継続し（ステップＳＴ１００１、ＹＥＳ）、カメラを起動し、カメラ映像音声を初期化する（ステップＳＴ１００３）。次にテレビ放送音声を有音とする場合（ステップＳＴ１００４、ＹＥＳ）は、テレビ放送映像をカメラ映像に切り替えて表示し、テレビ放送音声を有音出力し（ステップＳＴ１００５）、カメラ映像及びマイク音声の入力を行う（ステップＳＴ１００６）。また、音声を無音とする場合（ステップＳＴ１００４、ＮＯ）は、テレビ放送映像をカメラ映像に切り替えて表示し、テレビ放送音声を無音出力し（ステップＳＴ１００７）、カメラ映像を表示し、カメラ映像及びマイク音声の入力を行う（ステップＳＴ１００８）。
【００５６】
以上のように、テレビ放送映像からカメラ入力映像へ表示を切り替え、カメラ映像及びマイク音声の入力を行うことができる。ここで、テレビ放送音声を有音とする場合はテレビ音声を継続して聴くことができる。また、テレビ音声はマイクによる音声入力と混在することを避けるために、携帯端末装置１０１の外部スピーカから出力しなくてもよく、ヘッドフォンなどの機器でのみ視聴できるようにしてもよい。
【００５７】
カメラを終了する場合（ステップＳＴ１００９、ＹＥＳ）は、カメラ撮影状態の場合は保存処理を行いカメラ入力を終了し、カメラ撮影準備状態の場合はカメラ入力を終了し（ステップＳＴ１０１０）、テレビ放送映像を表示してテレビ放送音声の出力を継続する（ステップＳＴ１０１１）。また、カメラ入力中にテレビ放送受信を停止する場合（ステップＳＴ１００９、ＮＯ、ステップＳＴ１００１、ＮＯ）は、テレビ放送音声出力を停止してテレビ放送受信を終了し（ステップＳＴ１０１３）、カメラ映像を表示してカメラ映像及びマイク音声の入力を継続する（ステップＳＴ１０１４）。
【００５８】
図１１は、本実施の形態１の電子装置に係る携帯端末装置の動作処理０２ｃの動作手順を示す図である。動作処理０２ｃはテレビ視聴中にカメラ入力を開始する状態ＩＤ＝０２に対する動作処理である。カメラを起動した場合に、動作処理０２ｃではテレビ映像を優先させて表示を継続し、カメラ映像を非表示にしてカメラ入力と同時にテレビ放送視聴を行う。
【００５９】
詳細な動作としては、テレビ放送受信を継続し（ステップＳＴ１１０１、ＹＥＳ）、カメラを起動してカメラ映像音声を初期化する（ステップＳＴ１１０３）。次にテレビ放送音声を有音とする場合（ステップＳＴ１１０４、ＹＥＳ）は、テレビ放送映像を継続して表示し、テレビ放送音声を有音出力し（ステップＳＴ１１０５）、カメラ映像を非表示とし、カメラ映像及びマイク音声の入力を行う（ステップＳＴ１１０６）。また、音声を無音とする場合（ステップＳＴ１１０４、ＮＯ）は、テレビ放送映像を継続して表示し、テレビ放送音声を無音出力し（ステップＳＴ１１０７）、カメラ映像を非表示とし、カメラ映像及びマイク音声の入力を行う（ステップＳＴ１１０８）。
【００６０】
以上のように、カメラ映像を表示せずにテレビ放送映像を表示してカメラ映像及びマイク音声の入力を行う。ここで、カメラ撮影準備状態の場合は、カメラ映像を表示しないが、撮影開始を行うことができる。また、カメラ撮影状態の場合は、カメラ撮影映像を表示しないが、撮影映像の記録を装置内部で行う。
【００６１】
カメラを終了する場合（ステップＳＴ１１０９、ＹＥＳ）は、カメラ撮影状態の場合は保存処理を行いカメラを終了し、カメラ撮影準備状態の場合はカメラ入力を終了し（ステップＳＴ１１１０）、テレビ放送映像を表示してテレビ放送音声の出力を継続する（ステップＳＴ１１１１）。また、カメラ入力中にテレビ放送受信を停止する場合（ステップＳＴ１１０９、ＮＯ、ステップＳＴ１１０１、ＮＯ）は、テレビ放送映像出力及びテレビ放送音声出力を停止し、テレビ放送受信を終了し（ステップＳＴ１１１３）、カメラ映像を表示し、カメラ映像及びマイク音声の入力を継続する（ステップＳＴ１１１４）。
【００６２】
図１２は、本実施の形態１の電子装置に係る携帯端末装置の動作処理０２ｄの動作手順を示す図である。動作処理０２ｄはテレビ視聴中にカメラ入力を開始する状態ＩＤ＝０２に対する動作処理である。カメラを起動した場合に、動作処理０２ｄではテレビ放送視聴そのものを停止し、カメラ入力映像を表示して映像音声入力を行う。
【００６３】
詳細な動作としては、テレビ放送受信終了処理を行い（ステップＳＴ１２０１）、カメラを起動してカメラ映像音声を初期化し（ステップＳＴ１２０２）、カメラ映像を表示してカメラ映像及びマイク音声の入力を開始する（ステップＳＴ１２０３）。
【００６４】
カメラを終了する場合（ステップＳＴ１２０４、ＹＥＳ）は、カメラ撮影状態の場合は保存処理を行ってカメラを終了し、カメラ撮影準備状態の場合はカメラ入力を終了し（ステップＳＴ１２０５）、テレビ放送視聴を再開する場合（ステップＳＴ１２０６、ＹＥＳ）は、テレビ放送受信を開始し（ステップＳＴ１２０７）、テレビ放送映像を表示してテレビ放送音声出力を再開する（ステップＳＴ１２０８）。
【００６５】
以上のように、カメラ入力中にテレビ視聴を開始した場合及びテレビ視聴中にカメラ入力を開始した場合に、各動作処理によってテレビ放送受信機能とカメラ撮影機能とを制御して所望の動作を実現することができる。
（実施の形態２）
以下、本実施の形態２の電子装置について携帯端末装置を例に図面を参照して詳細に説明する。本実施の形態２に係る携帯端末装置は、映像音声入力機能とテレビ放送受信機能とに加えてテレビ放送録画機能を有するものである。本実施の形態２に係る携帯端末装置の斜視図は図１に示したものと同様であり図示を省略する。
【００６６】
図１３は、本実施の形態２の電子装置に係る携帯端末装置の構成を示すブロック図である。
【００６７】
携帯端末装置１３００は、テレビ放送受信用のアンテナ１３１０と、アンテナ１３１０を介してテレビ放送を受信するテレビ放送受信部１３０１と、受信又は記録済みのテレビ放送信号の再生処理を行うテレビ放送再生部１３０２と、カメラやマイクなどから映像信号や音声信号を入力する映像音声入力部１３０３と、テレビ放送再生部１３０２と映像音声入力部１３０３とからの映像信号や音声信号を出力する出力・記録制御部１３０４と、映像を表示する映像出力部１３０５と、音声を出力する音声出力部１３０６と、映像音声入力部１３０３からの入力映像音声、テレビ放送再生部１３０２からのテレビ放送映像音声及び出力・記録制御部１３０４からの表示出力映像音声を記録する記録部１３０７と、記録したデータを格納する記録媒体１３０８と、テレビ放送受信部１３０１、テレビ放送再生部１３０２、映像音声入力部１３０３、出力・記録制御部１３０４及び記録部１３０７を制御することによりテレビ放送受信機能及びカメラ撮影機能を制御する競合動作制御部１３０９とを有する。
【００６８】
なお、本実施の形態２に係る携帯端末装置１３００は、実施の形態１に係る携帯端末装置１０１のテレビ放送再生部２０２、出力・記録制御部２０４、記録部２０７及び記録媒体２０８にそれぞれ特徴が追加されたものである。
【００６９】
テレビ放送再生部１３０２は、テレビ放送受信部１３０１からの映像音声データだけではなく、記録媒体１３０８からのテレビ放送映像音声を再生することができる。また、テレビ放送再生部１３０２は、デジタルテレビ放送信号を表示用に復号化することができるし、復号化せずに記録用にそのまま記録部１３０７に送ることができる。
【００７０】
出力・記録制御部１３０４は、出力・記録制御部１３０４において出力用に合成した映像音声を記録部１３０７に記録させることができる。
【００７１】
記録部１３０７は、テレビ放送再生部１３０２からのテレビ放送映像音声を録画することができる。また、記録部１３０７は出力・記録制御部１３０４が映像出力部１３０５に表示するように加工した映像音声、又は音声出力部１３０６に出力するように加工した映像音声を記録することができる。また、記録部１３０７はテレビ放送再生部１３０２からの映像と映像音声入力部１３０３からの映像とを出力・記録制御部１３０４において合成した映像音声を記録することができるし、テレビ放送単独、入力映像音声単独の出力用に加工された映像音声を記録することができる。また、記録部１３０７はデジタルテレビ放送の映像音声を記録する場合は、テレビ放送データをそのまま多重化して記録することができるし、テレビ放送再生部１３０２において復号化した映像音声を再び符号化して多重化することができる。
【００７２】
記録媒体１３０８は、テレビ放送映像音声又は記録部１３０７で録画したテレビ放送映像音声を保存することができる。また、記録媒体１３０８で保存したテレビ放送映像音声を読み出してテレビ放送再生部１３０２で再生することができる。
【００７３】
図１４は、本実施の形態２の電子装置に係る携帯端末装置の動作手順を示す図である。カメラ撮影機能とテレビ放送受信機能との競合動作状態での動作手順を示している。
【００７４】
カメラ入力中（ステップＳＴ１４００、ＹＥＳ）に競合動作（ステップＳＴ１４０２、ＹＥＳ）としてテレビ放送視聴（ステップＳＴ１４０３、ＹＥＳ）をする状態を競合状態ＩＤ＝１１と定め（ステップＳＴ１４０５）、競合状態ＩＤ＝１１に対する動作処理をＩＤ＝１１ａ〜１１ｆと定め、それぞれを動作処理１１ａ〜１１ｆ（ステップＳＴ１４０６）とする。
【００７５】
カメラ入力中（ステップＳＴ１４００、ＹＥＳ）に競合動作（ステップＳＴ１４０２、ＹＥＳ）としてテレビ放送録画（ステップＳＴ１４０３、ＮＯ）をする状態を競合状態ＩＤ＝１３と定め（ステップＳＴ１４０８）、競合状態ＩＤ＝１３に対する動作処理をＩＤ＝１３ａ〜１３ｆと定め、それぞれを動作処理１３ａ〜１３ｆ（ステップＳＴ１４０９）とする。
【００７６】
テレビ放送視聴中（ステップＳＴ１４００、ＮＯ、ステップＳＴ１４１０、ＹＥＳ）に競合動作（ステップＳＴ１４１２、ＹＥＳ）としてカメラ入力（ステップＳＴ１４１３）をする状態を競合状態ＩＤ＝１２と定め（ステップＳＴ１４１４）、競合状態ＩＤ＝１２に対する動作処理をＩＤ＝１２ａ〜１２ｆと定め、それぞれを動作処理１２ａ〜１２ｆ（ステップＳＴ１４１５）とする。
【００７７】
テレビ放送録画中（ステップＳＴ１４００、ＮＯ、ステップＳＴ１４１０、ＮＯ）に競合動作（ステップＳＴ１４１７、ＹＥＳ）としてカメラ入力（ステップＳＴ１４１８）をする状態を競合状態ＩＤ＝１４と定め（ステップＳＴ１４１９）、競合状態ＩＤ＝１４に対する動作処理をＩＤ＝１４ａ〜１４ｆと定め、それぞれを動作処理１４ａ〜１４ｆ（ステップＳＴ１４２０）とする。
【００７８】
なお、本実施の形態２に係る携帯端末装置１３００は、実施の形態１に係る携帯端末装置１０１にテレビ放送録画機能が追加されたものであり、テレビ放送録画機能が関係する競合状態ＩＤ＝１３、１４以外の競合状態ＩＤ＝１１、１２については、実施の形態１に係る携帯端末装置１０１のものと同様である。
【００７９】
特に競合状態ＩＤ＝１１、１２に対する動作処理１１ａ〜０１ｄ、動作処理１２ａ〜０２ｄに関しては、実施の形態１に係る携帯端末装置１０１のものと同様であり、詳細な説明は省略する。
【００８０】
以下、競合状態ＩＤ＝１１に対する動作処理１１ｅ、動作処理１１ｆ、競合動作ＩＤ＝１２に対する動作処理１２ｅ、動作処理１２ｆ、競合動作ＩＤ＝１３に対する動作処理１３ａ〜１３ｆ、競合動作ＩＤ＝１４に対する動作処理１４ａ〜１４ｆについて図面を用いて説明する。
【００８１】
図１５及び図１６は、本実施の形態２の電子装置に係る携帯端末装置の動作処理１１ｅの動作手順を示す図である。動作処理１１ｅはカメラ入力中にテレビ放送視聴を開始する状態ＩＤ＝１１に対する動作処理である。
【００８２】
以下の説明においても、カメラ入力中の状態では、カメラの入力映像を表示領域に表示し、マイクから音声を入力しているものとする。また、カメラ入力中とは、カメラによる撮影を行っている状態（カメラ撮影状態）とカメラによる撮影を行える状態（カメラ撮影準備状態、例えばプレビュー等で映像入力をしている状態）とを指す。
【００８３】
カメラ入力中にテレビ放送視聴を開始した場合に、動作処理１１ｅでは、カメラ映像とテレビ映像とを合成して表示し、カメラ入力とテレビ放送視聴とを行いつつ、テレビ放送映像音声とカメラ入力映像音声とを合成して記録する。
【００８４】
詳細な動作としては、カメラ入力を継続し（ステップＳＴ１５０１、ＹＥＳ）、テレビ放送受信を開始する（ステップＳＴ１５０３）。次にテレビ放送音声を有音出力し、音声合成をする場合（ステップＳＴ１５０４、ＹＥＳ、ステップＳＴ１５０５、ＹＥＳ）は、テレビ放送映像をカメラの入力映像と合成して表示領域に表示し、テレビ放送音声を有音出力してマイクの入力音声と合成して出力し（ステップＳＴ１５０６、ステップＳＴ１５０７）、合成映像と合成音声とを記録する（ステップＳＴ１５０８）。
【００８５】
また、テレビ放送音声を有音出力し、音声合成をしない場合（ステップＳＴ１５０４、ＹＥＳ、ステップＳＴ１５０５、ＮＯ）は、テレビ放送映像をカメラの入力映像と合成して表示領域に表示し、テレビ放送音声を有音出力してマイクの入力音声と合成せずに出力し（ステップＳＴ１５０９、ステップＳＴ１５１０）、上記合成映像とマイク入力音声とを記録する（ステップＳＴ１５１１）。
【００８６】
また、テレビ放送音声を有音出力しない場合（ステップＳＴ１５０４、ＮＯ）は、テレビ放送映像をカメラの入力映像と合成して表示領域に表示し、テレビ放送音声を無音出力しマイクの入力音声と合成せずに出力し（ステップＳＴ１５１２、ステップＳＴ１５１３）、上記合成映像とマイク入力音声とを記録する（ステップＳＴ１５１４）。
【００８７】
以上のように、テレビ放送映像音声とカメラ入力映像音声とを合成して表示、出力しつつ、合成映像音声を記録することができる。テレビ放送視聴が終了した場合（ステップＳＴ１５１５、ＹＥＳ）、テレビ放送映像出力及びテレビ放送音声出力を停止し、テレビ放送受信を終了し（ステップＳＴ１５１６）、テレビ放送映像音声とカメラ入力映像音声との合成を終了し（ステップＳＴ１５１７）、カメラの入力映像を再表示し、カメラ映像及びマイク音声の入力を継続する（ステップＳＴ１５１８）。また、テレビ放送受信中にカメラ入力を停止する場合（ステップＳＴ１５１５、ＮＯ、ステップＳＴ１５０１、ＮＯ）は、テレビ放送映像音声とカメラ入力映像音声との合成を終了し（ステップＳＴ１５２０）、カメラの終了処理として、カメラ撮影状態の場合は保存処理を行いカメラを終了し、カメラ撮影準備状態の場合はカメラ入力を終了し（ステップＳＴ１５２１）、テレビ放送映像を再表示してテレビ放送音声の出力を継続する（ステップＳＴ１５２２）。
【００８８】
ここで、カメラ撮影状態でテレビ放送視聴を行った場合は、両者の映像音声を合成してカメラ撮影として継続する。また、テレビ放送視聴を終了した場合は、合成映像音声をカメラ映像音声に切り替え、カメラの入力映像を再表示し、カメラ映像及びマイク音声の入力を継続することができる。
【００８９】
図１７は、本実施の形態２の電子装置に係る携帯端末装置の動作処理１１ｆの動作手順を示す図である。動作処理１１ｆはカメラ入力中にテレビ放送視聴を開始する状態ＩＤ＝１１に対する動作処理である。カメラ入力中にテレビ放送視聴を開始した場合に、動作処理１１ｆでは、カメラ映像を優先させて表示を継続し、テレビ映像を非表示にする代わりに記録媒体に録画し、カメラ入力とテレビ放送視聴とを行う。
【００９０】
詳細な動作としては、カメラ入力を継続し（ステップＳＴ１７０１、ＹＥＳ）、テレビ放送受信とその録画とを開始する（ステップＳＴ１７０３）。次にテレビ放送音声を有音とする場合（ステップＳＴ１７０４、ＹＥＳ）は、テレビ放送映像を非表示にしてテレビ放送音声を有音出力し（ステップＳＴ１７０５）、カメラ映像を表示し、カメラ映像及びマイク音声入力を継続する（ステップＳＴ１７０６）。また、テレビ放送音声を無音とする場合（ステップＳＴ１７０４、ＮＯ）は、テレビ放送映像を非表示し、テレビ放送音声を無音出力し（ステップＳＴ１７０７）、カメラ映像を表示し、カメラ映像及びマイク音声入力を継続する（ステップＳＴ１７０８）。
【００９１】
以上のように、カメラ入力映像を継続表示し、テレビ放送を裏で記憶媒体に記録しておくことで、テレビ放送映像の表示を行わず音声のみ出力又は一時的に視聴を中止することにより、カメラ入力を継続することができる。
【００９２】
テレビ放送視聴を終了する場合（ステップＳＴ１７０９、ＹＥＳ）は、テレビ放送録画とテレビ放送音声出力とを停止し、テレビ放送受信を終了し（ステップＳＴ１７１０）、カメラ入力中の録画済み映像を直ちに視聴する場合（ステップＳＴ１７１１、ＹＥＳ）は、録画済みテレビ放送再生を開始し（ステップＳＴ１７１２）、カメラ映像を表示し、カメラ映像及びマイク音声の入力を継続する（ステップＳＴ１７１３）。直ちに視聴しない場合（ステップＳＴ１７１１、ＮＯ）は、直ちにカメラ映像を表示し、カメラ映像及びマイク音声の入力を継続する（ステップＳＴ１７１３）。
【００９３】
また、テレビ放送受信中にカメラ入力を停止する場合（ステップＳＴ１７０９、ＮＯ、ステップＳＴ１７０１、ＮＯ）は、カメラ撮影状態であれば保存処理を行いカメラを終了し、カメラ撮影準備状態にあればカメラを終了し（ステップＳＴ１７１５）、裏で録画していたテレビ放送録画終了処理を行い（ステップＳＴ１７１６）、カメラ入力中の録画済み映像を直ちに視聴する場合（ステップＳＴ１７１７、ＹＥＳ）は、録画済みテレビ放送再生を開始し（ステップＳＴ１７１８）テレビ放送映像を表示してテレビ放送音声の出力を継続する（ステップＳＴ１７１９）。カメラ入力中の録画済み映像を直ちに視聴しない場合（ステップＳＴ１７１７、ＮＯ）は、直ちにテレビ放送映像を表示してテレビ放送音声の出力を継続する（ステップＳＴ１７１９）。
【００９４】
ここで、録画済みテレビ放送を直ちに視聴する場合は、録画済みテレビ放送を視聴しながら現時点で受信したテレビ放送を追加録画してもよいし、異なる表示領域及びひとつの表示領域を切り替えて録画済みテレビ放送映像と現在のテレビ放送映像とを表示して両者を視聴できるようにしてもよい。また、録画済みテレビ放送の再生は通常速度で行ってもよいし、通常より速い速度及び遅い速度で行ってもよい。
【００９５】
また、録画済みテレビ放送を直ちに視聴する場合は、録画済みテレビ放送を視聴しながら、カメラ入力を行ってもよいし、異なる表示領域及びひとつの表示領域を切り替えて録画済みテレビ放送映像とカメラ入力映像とを表示して両者を閲覧できるようにしてもよい。
【００９６】
なお、以下の動作でも同様であるが、テレビ放送音声出力を無音出力としても、テレビ放送録画は有音で録画することができる。
【００９７】
図１８及び図１９は、本実施の形態２の電子装置に係る携帯端末装置の動作処理１２ｅの動作手順を示す図である。動作処理１２ｅはテレビ視聴中にカメラ入力を開始する状態ＩＤ＝１２に対する動作処理である。テレビ視聴中にカメラを起動した場合に、動作処理１２ｅでは、カメラ映像とテレビ映像とを合成して表示し、カメラ入力とテレビ放送視聴とを行いつつ、テレビ放送映像音声とカメラ入力映像音声とを合成して記録する。
【００９８】
詳細な動作としては、テレビ放送受信を継続し（ステップＳＴ１８０１、ＹＥＳ）、カメラを起動してカメラ映像音声を初期化する（ステップＳＴ１８０３）。次にテレビ放送音声を有音出力し、音声合成をする場合（ステップＳＴ１８０４、ＹＥＳ、ステップＳＴ１８０５、ＹＥＳ）は、テレビ放送映像をカメラの入力映像と合成して表示領域に表示し、テレビ放送音声を有音出力してマイクの入力音声と合成して出力し（ステップＳＴ１８０６、ステップＳＴ１８０７）、上記合成映像と合成音声とを記録する（ステップＳＴ１８０８）。
【００９９】
また、テレビ放送音声を有音出力して音声合成をしない場合（ステップＳＴ１８０４、ＹＥＳ、ステップＳＴ１８０５、ＮＯ）は、テレビ放送映像をカメラの入力映像と合成して表示領域に表示し、テレビ放送音声を有音出力しマイクの入力音声と合成せずに出力し（ステップＳＴ１８０９、ステップＳＴ１８１０）、上記合成映像とマイク入力音声とを記録する（ステップＳＴ１８１１）。
【０１００】
また、テレビ放送音声を有音出力しない場合（ステップＳＴ１８０４、ＮＯ）は、テレビ放送映像をカメラの入力映像と合成して表示領域に表示し、テレビ放送音声を無音出力してマイクの入力音声と合成せずに出力し（ステップＳＴ１８１２、ステップＳＴ１８１３）、上記合成映像とマイク入力音声とを記録する（ステップＳＴ１８１４）。
【０１０１】
以上のように、テレビ放送映像音声とカメラ入力映像音声とを合成して表示、出力しつつ、合成映像音声を記録することができる。
【０１０２】
カメラを終了する場合（ステップＳＴ１８１５、ＹＥＳ）は、カメラ撮影状態の場合は保存処理を行いカメラ入力を終了し、カメラ撮影準備状態の場合はカメラ入力を終了し（ステップＳＴ１８１６）、テレビ放送映像音声とカメラ入力映像音声との合成を終了し（ステップＳＴ１８１７）、テレビ放送映像を再表示してテレビ放送音声の出力を継続する（ステップＳＴ１８１８）。
【０１０３】
また、カメラ入力中にテレビ放送受信を停止する場合（ステップＳＴ１８１５、ＮＯ、ステップＳＴ１８０１、ＮＯ）は、テレビ放送映像音声とカメラ入力映像音声との合成を終了し（ステップＳＴ１８２０）、テレビ放送映像出力及びテレビ放送音声出力を停止し、テレビ放送受信を終了し（ステップＳＴ１８２１）、カメラ映像を再表示し、カメラ映像及びマイク音声入力を継続する（ステップＳＴ１８２２）。
【０１０４】
ここで、テレビ放送視聴状態でカメラ撮影を行った場合は、両者の映像音声を合成してカメラ撮影として記録する。また、テレビ放送視聴を終了した場合は、合成映像音声をカメラ映像音声に切り替え、カメラの入力映像を再表示し、カメラ映像及びマイク音声の入力を継続することができる。また、テレビ放送音声出力で音声合成しない場合は、テレビ音声をヘッドフォンなどに出力し、マイク入力との混在を防ぐことができる。
【０１０５】
図２０は、本実施の形態２の電子装置に係る携帯端末装置の動作処理１２ｆの動作手順を示す図である。動作処理１２ｆはテレビ視聴中にカメラ入力を開始する状態ＩＤ＝１２に対する動作処理である。テレビ視聴中にカメラを起動した場合に、動作処理１２ｆでは、カメラ映像を優先させて表示し、テレビ映像を非表示にする代わりに記録媒体に録画し、カメラ入力とテレビ放送視聴とを行う。
【０１０６】
詳細な動作としては、テレビ放送受信を継続し（ステップＳＴ２００１、ＹＥＳ）、カメラを起動してカメラ映像音声を初期化する（ステップＳＴ２００３）。そしてテレビ放送録画を開始する（ステップＳＴ２００４）。
【０１０７】
テレビ放送音声を有音出力する場合（ステップＳＴ２００５、ＹＥＳ）は、テレビ放送映像を非表示し、テレビ放送音声を有音出力し（ステップＳＴ２００６）、カメラ映像を表示し、カメラ映像及びマイク音声入力を行う（ステップＳＴ２００７）。また、テレビ放送音声を無音出力する場合（ステップＳＴ２００５、ＮＯ）は、テレビ放送映像を非表示し、テレビ放送音声を無音出力し（ステップＳＴ２００８）、カメラ映像を表示し、カメラ映像及びマイク音声の入力を行う（ステップＳＴ２００９）。
【０１０８】
以上のように、カメラ入力映像の表示を優先させ、テレビ放送を裏で記憶媒体に記録しておくことで、テレビ放送映像の表示を行わず音声のみ出力又は一時的に視聴を中止することにより、カメラ入力を行うことができる。
【０１０９】
カメラを終了する場合（ステップＳＴ２０１０、ＹＥＳ）は、カメラ撮影状態の場合は保存処理を行いカメラ入力を終了し、カメラ撮影準備状態の場合はカメラ入力を終了し（ステップＳＴ２０１１）、裏で録画していたテレビ放送録画終了処理を行い（ステップＳＴ２０１２）、カメラ入力中の録画済み映像を直ちに視聴する場合（ステップＳＴ２０１３、ＹＥＳ）は、録画済みテレビ放送再生を開始し（ステップＳＴ２０１４）、テレビ放送映像の表示を再開して音声の出力を継続する（ステップＳＴ２０１５）。直ちに視聴しない場合（ステップＳＴ２０１３、ＮＯ）は、直ちにテレビ放送映像の表示を再開して音声の出力を継続する（ステップＳＴ２０１５）。
【０１１０】
また、カメラ入力中にテレビ放送視聴を停止する場合（ステップＳＴ２０１０、ＮＯ、ステップＳＴ２００１、ＮＯ）は、裏で録画していたテレビ放送録画終了処理を行い、テレビ放送音声出力を停止し、テレビ放送受信を終了する（ステップＳＴ２０１７）。そしてカメラ入力中の録画済み映像を直ちに視聴する場合（ステップＳＴ２０１８、ＹＥＳ）は、録画済みテレビ放送の再生を開始し（ステップＳＴ２０１９）、カメラ映像の表示を継続し、カメラの映像音声入力を継続する（ステップＳＴ２０２０）。直ちに視聴しない場合（ステップＳＴ２０１８、ＮＯ）は、カメラ映像の表示を継続し、カメラの映像音声入力を継続する（ステップＳＴ２０２０）。
【０１１１】
ここで、録画済みテレビ放送を直ちに視聴する場合は、録画済みテレビ放送を視聴しながら現時点で受信したテレビ放送を追加録画してもよいし、異なる表示領域及びひとつの表示領域を切り替えて録画済みテレビ放送映像と現在のテレビ放送映像とを表示して両者を視聴できるようにしてもよい。また、録画済みテレビ放送の再生は通常速度で行ってもよいし、通常より速い速度及び遅い速度で行ってもよい。
【０１１２】
また、録画済みテレビ放送を直ちに視聴する場合は、録画済みテレビ放送を視聴しながら、カメラ入力を行ってもよいし、異なる表示領域及びひとつの表示領域を切り替えて録画済みテレビ放送映像とカメラ入力映像とを表示して両者を視聴できるようにしてもよい。
【０１１３】
図２１は、本実施の形態２の電子装置に係る携帯端末装置の動作処理１３ａの動作手順を示す図である。動作処理１３ａはカメラ入力中にテレビ放送録画を開始する状態ＩＤ＝１３に対する動作処理である。カメラ入力中にテレビ放送視聴を開始した場合に、動作処理１３ａでは、カメラ映像とテレビ映像とを同時に表示し、カメラ入力と同時にテレビ放送録画を行う。
【０１１４】
詳細な動作としては、カメラ入力を継続し（ステップＳＴ２１０１、ＹＥＳ）、テレビ放送受信とテレビ放送録画とを開始する（ステップＳＴ２１０３）。次にテレビ放送音声を有音出力する場合（ステップＳＴ２１０４、ＹＥＳ）は、テレビ放送映像をカメラの入力映像とは別の表示領域に同時表示し、テレビ放送音声を有音出力し（ステップＳＴ２１０５）、カメラ映像の表示とカメラ映像及びマイク音声の入力とを継続する（ステップＳＴ２１０６）。また、音声を無音出力する場合（ステップＳＴ２１０４、ＮＯ）は、テレビ放送映像をカメラの入力映像とは別の表示領域に同時表示し、テレビの音声を無音出力し（ステップＳＴ２１０７）、カメラ映像の表示とカメラ映像及びマイク音声の入力とを継続する（ステップＳＴ２１０８）。以上のように、テレビ放送映像とカメラ入力映像とを同時に別々の表示領域に表示しつつ、カメラ撮影を継続してテレビ放送を録画することができる。
【０１１５】
テレビ放送録画を終了する場合（ステップＳＴ２１０９、ＹＥＳ）、テレビ放送録画を終了し（ステップＳＴ２１１０）、テレビ放送映像出力及びテレビ放送音声出力を停止してテレビ放送受信を終了し（ステップＳＴ２１１１）、カメラの入力映像表示と映像音声入力処理とを継続する（ステップＳＴ２１１２）。また、テレビ放送受信中にカメラ入力を停止する場合（ステップＳＴ２１０９、ＮＯ、ステップＳＴ２１０１、ＮＯ）は、カメラの終了処理（保存処理）として、カメラ撮影状態の場合は保存処理を行いカメラを終了し、カメラ撮影準備状態の場合はカメラ入力を終了し（ステップＳＴ２１１４）、テレビ放送映像を表示してテレビ放送音声の出力とテレビ放送録画とを継続する（ステップＳＴ２１１５）。
【０１１６】
なお、以下の動作でも同様であるが、テレビ放送音声を無音出力しても、テレビ放送を有音で録画することができる。
【０１１７】
図２２は、本実施の形態２の電子装置に係る携帯端末装置の動作処理１３ｂの動作手順を示す図である。動作処理１３ｂはカメラ入力中にテレビ放送録画を開始する状態ＩＤ＝１３に対する動作処理である。カメラ入力中にテレビ放送視聴を開始した場合に、動作処理１３ｂでは、カメラ映像の表示をテレビ映像の表示に切り替え、カメラ入力と同時にテレビ放送録画を行う。
【０１１８】
詳細な動作としては、カメラ入力を継続し（ステップＳＴ２２０１、ＹＥＳ）、テレビ放送受信とテレビ放送録画とを開始する（ステップＳＴ２２０３）。次にテレビ放送音声を有音出力する場合（ステップＳＴ２２０４、ＹＥＳ）は、カメラの入力映像をテレビ放送映像に切り替えて表示してテレビ放送音声を有音出力し（ステップＳＴ２２０５）、カメラ映像を非表示のまま、カメラ映像及びマイク音声の入力を継続する（ステップＳＴ２２０６）。また、テレビ放送音声を無音出力する場合（ステップＳＴ２２０４、ＮＯ）は、カメラの入力映像をテレビ放送映像に切り替えて表示してテレビの音声を無音出力し（ステップＳＴ２２０７）、カメラ映像を非表示のまま、カメラ映像及びマイク音声の入力を継続する（ステップＳＴ２２０８）。
【０１１９】
以上のように、カメラ入力映像からテレビ放送映像へ表示を切り替えつつ、カメラ映像及びマイク音声の入力を継続してテレビ放送録画を行うことができる。
【０１２０】
ここで、カメラ撮影準備状態の場合は、カメラ映像を表示しないが、撮影を開始することができる。また、カメラ撮影状態の場合は、カメラ撮影映像を表示しないが、撮影映像の記録を装置内部で行う。
【０１２１】
テレビ放送録画を終了する場合（ステップＳＴ２２０９、ＹＥＳ）は、テレビ放送録画を終了し（ステップＳＴ２２１０）、テレビ放送映像出力及びテレビ放送音声出力を停止してテレビ放送受信を終了し（ステップＳＴ２２１１）、カメラの入力映像を再表示し、カメラ映像及びマイク音声の入力を継続する（ステップＳＴ２２１２）。
【０１２２】
また、テレビ放送受信中にカメラ入力を停止する場合（ステップＳＴ２２０９、ＮＯ、ステップＳＴ２２０１、ＮＯ）は、カメラの終了処理（保存処理）を行い、カメラを終了し（ステップＳＴ２２１４）、テレビ放送映像を表示してテレビ放送音声の出力とテレビ放送録画とを継続する（ステップＳＴ２２１５）。
【０１２３】
図２３は、本実施の形態２の電子装置に係る携帯端末装置の動作処理１３ｃの動作手順を示す図である。動作処理１３ｃはカメラ入力中にテレビ放送録画を開始する状態ＩＤ＝１３に対する動作処理である。カメラ入力中にテレビ放送視聴を開始した場合に、動作処理１３ｃでは、カメラ映像を優先させて表示を継続し、テレビ映像を非表示にしてカメラ入力と同時にテレビ放送録画を行う。
【０１２４】
詳細な動作としては、カメラ入力を継続し（ステップＳＴ２３０１、ＹＥＳ）、テレビ放送受信とテレビ放送録画とを開始する（ステップＳＴ２３０３）。次にテレビ放送音声を有音出力する場合（ステップＳＴ２３０４、ＹＥＳ）は、テレビ放送映像を非表示にしてテレビ放送音声を有音出力し（ステップＳＴ２３０５）、カメラ映像を表示してカメラ映像及びマイク音声の入力を継続する（ステップＳＴ２３０６）。また、テレビ放送音声を無音出力する場合（ステップＳＴ２３０４、ＮＯ）は、テレビ放送映像を非表示にしてテレビ放送音声を無音出力し（ステップＳＴ２３０７）、カメラ映像を表示してカメラ映像及びマイク音声の入力を継続する（ステップＳＴ２３０８）。
【０１２５】
以上のように、カメラ入力映像を継続表示し、テレビ放送映像の表示を行わずに音声出力するか、一時的に視聴を中止してテレビ放送録画を行うことにより、カメラ映像及びマイク音声の入力を継続することができる。
【０１２６】
テレビ放送録画を終了する場合（ステップＳＴ２３０９、ＹＥＳ）は、テレビ放送録画を終了し（ステップＳＴ２３１０）、テレビ放送音声出力を停止してテレビ放送受信を終了し（ステップＳＴ２３１１）、カメラの入力映像を表示継続してカメラ映像及びマイク音声の入力を継続する（ステップＳＴ２３１２）。また、テレビ放送録画中にカメラ入力を停止する場合（ステップＳＴ２３０９、ＮＯ、ステップＳＴ２３０１、ＮＯ）は、カメラの終了処理（保存処理）を行い、カメラを終了し（ステップＳＴ２３１４）、テレビ放送映像を表示してテレビ放送音声の出力とテレビ放送録画とを継続する（ステップＳＴ２３１５）。
【０１２７】
図２４は、本実施の形態２の電子装置に係る携帯端末装置の動作処理１３ｄの動作手順を示す図である。動作処理１３ｄはカメラ入力中にテレビ放送録画を開始する状態ＩＤ＝１３に対する動作処理である。カメラ入力中にテレビ放送録画を開始した場合に、動作処理１３ｄでは、カメラ入力そのものを停止し、テレビ映像を表示し、テレビ放送録画を行う。
【０１２８】
詳細な動作としては、カメラ撮影状態であれば保存処理を行いカメラを終了し、カメラ撮影準備状態にあればカメラを終了し（ステップＳＴ２４０１）、テレビ放送受信とテレビ放送録画とを開始する（ステップＳＴ２４０２）。テレビ放送映像を表示してテレビ放送音声を出力し、テレビ放送視聴を行う（ステップＳＴ２４０３）。ここで、テレビ放送音声の有音、無音の選択はテレビ放送受信機能単体に備わっている設定であり省略する。
【０１２９】
テレビ放送録画を終了する場合（ステップＳＴ２４０４、ＹＥＳ）、テレビ放送録画を終了し（ステップＳＴ２４０５）、テレビ放送音声出力を停止してテレビ放送受信を終了し（ステップＳＴ２４０６）、カメラの再起動を所望する場合（ステップＳＴ２４０７、ＹＥＳ）は、カメラを起動してカメラ映像音声を初期化し（ステップＳＴ２４０８）、カメラ映像を表示してカメラ映像及びマイク音声の入力を再開する（ステップＳＴ２４０９）。
【０１３０】
図２５及び図２６は、本実施の形態２の電子装置に係る携帯端末装置の動作処理１３ｅの動作手順を示す図である。動作処理１３ｅはカメラ入力中にテレビ放送録画を開始する状態ＩＤ＝１３に対する動作処理である。カメラ入力中にテレビ放送録画を開始した場合に、動作処理１３ｅでは、カメラ映像とテレビ映像とを合成して表示し、カメラ入力とテレビ放送視聴とを行いつつ、テレビ放送映像音声とカメラ入力映像音声とを合成して記録する。
【０１３１】
詳細な動作としては、カメラ入力を継続し（ステップＳＴ２５０１、ＹＥＳ）、テレビ放送受信を開始する（ステップＳＴ２５０３）。次にテレビ放送音声を有音出力し、音声合成をする場合（ステップＳＴ２５０４、ＹＥＳ、ステップＳＴ２５０５、ＹＥＳ）は、テレビ放送映像をカメラの入力映像と合成して表示領域に表示し、テレビ放送音声を有音出力してマイクの入力音声と合成して出力する（ステップＳＴ２５０６、ステップＳＴ２５０７）。そして、合成映像と合成音声とを記録する（ステップＳＴ２５０８）。
【０１３２】
また、テレビ放送音声を有音出力し、音声合成をしない場合（ステップＳＴ２５０４、ＹＥＳ、ステップＳＴ２５０５、ＮＯ）は、テレビ放送映像をカメラの入力映像と合成して表示し、テレビ放送音声を有音出力してマイクの入力音声と合成せずに出力する（ステップＳＴ２５０９、ステップＳＴ２５１０）。そして、合成映像とマイク入力音声とを記録する（ステップＳＴ２５１１）。
【０１３３】
また、テレビ放送音声を出力しない場合（ステップＳＴ２５０４、ＮＯ）は、テレビ放送映像をカメラの入力映像と合成して表示領域に表示し、テレビ放送音声を無音出力してマイクの入力音声と合成せずに出力する（ステップＳＴ２５１２、ステップＳＴ２５１３）。そして合成映像とマイク入力音声とを記録する（ステップＳＴ２５１４）。
【０１３４】
以上のように、テレビ放送映像音声とカメラ入力映像音声とを合成して表示、出力しつつ、合成映像音声を記録することができる。テレビ放送録画を終了する場合（ステップＳＴ２５１５、ＹＥＳ）は、テレビ放送映像音声とカメラ入力映像音声との合成を終了し（ステップＳＴ２５１６）、テレビ放送映像出力及びテレビ放送音声出力を停止し、テレビ放送受信を終了する（ステップＳＴ２５１７）。そしてカメラの入力映像を再表示し、カメラ映像及びマイク音声の入力を継続する（ステップＳＴ２５１８）。また、テレビ放送録画中にカメラ入力を停止する場合（ステップＳＴ２５１５、ＮＯ、ステップＳＴ２５０１、ＮＯ）は、テレビ放送映像音声とカメラ入力映像音声との合成を終了し（ステップＳＴ２５２０）、カメラの終了処理を行い、カメラ撮影状態の場合は、保存処理を行いカメラを終了し、カメラ撮影準備状態の場合はカメラ入力を終了し（ステップＳＴ２５２１）、テレビ放送録画を開始し（ステップＳＴ２５２２）、テレビ放送映像を再表示してテレビ放送音声の出力を継続する（ステップＳＴ２５２３）。
【０１３５】
ここで、カメラ撮影状態でテレビ放送録画を行う場合は、両者の映像音声を合成してカメラ撮影として継続する。また、テレビ放送録画を終了した場合は、合成映像音声をカメラ映像音声に切り替え、カメラの入力映像を再表示して、カメラ映像及びマイク音声の入力を継続する。また、カメラ撮影を終了した場合は、合成を停止し、テレビ放送録画を開始する。カメラ撮影の延長としてテレビ放送映像の表示及びテレビ放送音声の出力を記録してもよいし、テレビ放送として新たに記録を行ってもよい。
【０１３６】
図２７は、本実施の形態２の電子装置に係る携帯端末装置の動作処理１３fの動作手順を示す図である。動作処理１３fはカメラ入力中にテレビ放送録画を開始する状態ＩＤ＝１３に対する動作処理である。カメラ入力中にテレビ放送録画を開始した場合に、動作処理１３ｆではカメラ映像を優先させて表示を継続し、テレビ映像を非表示にする代わりに記録媒体に録画してカメラ入力とテレビ放送視聴とを行う。なお、この動作手順は図１７に示した動作処理１１ｆのものと同様であり説明は省略するが、録画が主な目的であり、録画終了後にテレビ放送を閲覧する必要は必ずしも無く、動作処理１１ｆのステップＳＴ１７１１、ステップＳＴ１７１２を動作処理１３ｆでは省略している。
【０１３７】
図２８は、本実施の形態２の電子装置に係る携帯端末装置の動作処理１４ａの動作手順を示す図である。動作処理１４ａはテレビ放送録画中にカメラ入力を開始する状態ＩＤ＝１４に対する動作処理である。テレビ放送録画中にカメラを起動した場合に、動作処理１４ａではカメラ映像とテレビ映像とを同時に表示してカメラ入力と同時にテレビ放送視聴と録画とを行う。
【０１３８】
詳細な動作としては、テレビ放送録画を継続し（ステップＳＴ２８０１、ＹＥＳ）、カメラを起動してカメラ映像音声を初期化する（ステップＳＴ２８０３）。次にテレビ放送音声を有音出力する場合（ステップＳＴ２８０４、ＹＥＳ）は、テレビ放送映像をカメラの入力映像とは別の表示領域に同時表示し、テレビ放送音声を有音出力し（ステップＳＴ２８０５）、カメラ映像を表示してカメラ映像及びマイク音声の入力を行う（ステップＳＴ２８０６）。また、テレビ放送音声を無音出力する場合（ステップＳＴ２８０４、ＮＯ）は、テレビ放送映像をカメラの入力映像とは別の表示領域に同時表示し、テレビの音声を無音出力し（ステップＳＴ２８０７）、カメラ映像を表示してカメラ映像及びマイク音声の入力を行う（ステップＳＴ２８０８）。  
【０１３９】
以上のように、テレビ放送映像とカメラ入力映像とを同時に別々の表示領域に表示しつつテレビ放送映像を表示し、テレビ放送の録画を継続してカメラ映像及びマイク音声の入力を継続することができる。
【０１４０】
カメラ入力を終了する場合（ステップＳＴ２８０９、ＹＥＳ）は、カメラ撮影状態の場合は保存処理を行いカメラ入力を終了し、カメラ撮影準備状態の場合はカメラ入力を終了し（ステップＳＴ２８１０）、テレビ放送映像を表示してテレビ放送音声の出力を継続する（ステップＳＴ２８１１）。また、カメラ入力中にテレビ放送受信を停止する場合（ステップＳＴ２８０９、ＮＯ、ステップＳＴ２８０１、ＮＯ）は、テレビ放送録画を終了し（ステップＳＴ２８１３）、テレビ放送音声出力を停止してテレビ放送受信を終了し（ステップＳＴ２８１４）、カメラ映像を表示し、カメラ映像及びマイク音声の入力を継続する（ステップＳＴ２８１５）。
【０１４１】
図２９は、本実施の形態２の電子装置に係る携帯端末装置の動作処理１４ｂの動作手順を示す図である。動作処理１４ｂはテレビ放送録画中にカメラ入力を開始する状態ＩＤ＝１４に対する動作処理である。テレビ放送録画中にカメラを起動した場合に、動作処理１４ｂではテレビ映像の表示をカメラ映像の表示に切り替え、テレビ放送録画と同時にカメラ入力を行う。
【０１４２】
詳細な動作としては、テレビ放送録画を継続し（ステップＳＴ２９０１、ＹＥＳ）、カメラを起動してカメラ映像音声を初期化する（ステップＳＴ２９０３）。次にテレビ放送音声を有音出力する場合（ステップＳＴ２９０４、ＹＥＳ）は、テレビ放送映像をカメラからの入力映像に切り替えて表示し、テレビ放送音声を有音出力し（ステップＳＴ２９０５）、カメラ映像を表示し、カメラ映像及びマイク音声入力を行う（ステップＳＴ２９０６）。また、テレビ放送音声を無音出力する場合（ステップＳＴ２９０４、ＮＯ）は、テレビ放送映像をカメラからの入力映像に切り替えて表示し、テレビ放送音声を無音出力し（ステップＳＴ２９０７）、カメラ映像を表示してカメラ映像及びマイク音声入力を行う（ステップＳＴ２９０８）。
【０１４３】
以上のように、テレビ放送映像からカメラ入力映像へ表示を切り替えつつ、カメラ映像及びマイク音声の入力を行い、テレビ放送の録画を継続することができる。ここで、テレビ放送音声を有音とする場合はテレビ音声を継続して聴くことができる。また、テレビ音声はマイクによる音声入力と混在することを避けるために、携帯端末装置１０１の外部スピーカから出力しなくてもよく、ヘッドフォンなどの機器でのみ視聴できるようにしてもよい。
【０１４４】
カメラを終了する場合（ステップＳＴ２９０９、ＹＥＳ）は、カメラ撮影状態の場合は保存処理を行いカメラ入力を終了し、カメラ撮影準備状態の場合はカメラ入力を終了し（ステップＳＴ２９１０）、テレビ放送映像を表示してテレビ放送音声の出力、録画を継続する（ステップＳＴ２９１１）。また、カメラ入力中にテレビ放送録画を停止する場合（ステップＳＴ２９０９、ＮＯ、ステップＳＴ２９０１、ＮＯ）は、テレビ放送録画を終了し（ステップＳＴ２９１３）、テレビ放送音声出力を停止してテレビ放送受信を終了し（ステップＳＴ２９１４）、カメラ映像を表示してカメラ映像及びマイク音声の入力を継続する（ステップＳＴ２９１５）。
【０１４５】
図３０は、本実施の形態２の電子装置に係る携帯端末装置の動作処理１４ｃの動作手順を示す図である。動作処理１４ｃはテレビ放送録画中にカメラ入力を開始する状態ＩＤ＝１４に対する動作処理である。テレビ放送録画中にカメラを起動した場合に、動作処理１４ｃではテレビ映像を優先させて表示を継続してカメラ映像を非表示にし、カメラ入力と同時にテレビ放送視聴と録画とを行う。
【０１４６】
詳細な動作としては、テレビ放送録画を継続し（ステップＳＴ３００１、ＹＥＳ）、カメラを起動してカメラ映像音声を初期化する（ステップＳＴ３００３）。次にテレビ放送音声を有音出力する場合（ステップＳＴ３００４、ＹＥＳ）は、テレビ放送映像を継続して表示し、テレビ放送音声を有音出力し（ステップＳＴ３００５）、カメラ映像を非表示とし、カメラ映像及びマイク音声の入力を行う（ステップＳＴ３００６）。また、テレビ放送音声を無音出力する場合（ステップＳＴ３００４、ＮＯ）は、テレビ放送映像を継続して表示し、テレビ放送音声を無音出力し（ステップＳＴ３００７）、カメラ映像を非表示とし、カメラ映像及びマイク音声の入力を行う（ステップＳＴ３００８）。
【０１４７】
以上のように、カメラ入力映像を表示せずにテレビ放送映像を表示してカメラ映像及びマイク音声の入力を行い、テレビ放送の録画を継続することができる。ここで、カメラ撮影準備状態の場合はカメラ映像を表示しないが、撮影を行うことができる。また、カメラ撮影状態の場合はカメラ撮影映像を表示しないが、撮影映像の記録は装置内部で行う。
【０１４８】
カメラを終了する場合（ステップＳＴ３００９、ＹＥＳ）は、カメラ撮影状態の場合は保存処理を行いカメラを終了し、カメラ撮影準備状態の場合はカメラ入力を終了し（ステップＳＴ３０１０）、テレビ放送映像を表示してテレビ放送音声の出力、録画を継続する（ステップＳＴ３０１１）。また、カメラ入力中にテレビ放送録画を停止する場合（ステップＳＴ３００９、ＮＯ、ステップＳＴ３００１、ＮＯ）は、テレビ放送録画を終了し（ステップＳＴ３０１３）、テレビ放送音声出力を停止し、テレビ放送受信を終了し（ステップＳＴ３０１４）、カメラ映像を表示し、カメラ映像及びマイク音声の入力を継続する（ステップＳＴ３０１５）。
【０１４９】
図３１は、本実施の形態２の電子装置に係る携帯端末装置の動作処理１４ｄの動作手順を示す図である。動作処理１４ｄはテレビ放送録画中にカメラ入力を開始する状態ＩＤ＝１４に対する動作処理である。テレビ放送録画中にカメラを起動した場合に、動作処理１４ｄではテレビ放送録画を停止してカメラ入力映像を表示し、映像音声入力を行う。
【０１５０】
詳細な動作としては、テレビ放送録画を終了し（ステップＳＴ３１０１）、テレビ放送受信を終了する（ステップＳＴ３１０２）。次にカメラを起動してカメラ映像音声を初期化して（ステップＳＴ３１０３）、カメラ映像を表示し、カメラ映像及びマイク音声の入力を開始する（ステップＳＴ３１０４）。
【０１５１】
カメラを終了する場合（ステップＳＴ３１０５、ＹＥＳ）は、カメラ撮影状態の場合は保存処理を行いカメラを終了し、カメラ撮影準備状態の場合はカメラ入力を終了し（ステップＳＴ３１０６）、テレビ放送録画を再開する場合（ステップＳＴ３１０７、ＹＥＳ）は、テレビ放送受信を開始し、テレビ放送録画を再開し（ステップＳＴ３１０８）、テレビ放送映像を表示してテレビ放送音声出力を再開する（ステップＳＴ３１０９）。
【０１５２】
図３２及び図３３は、本実施の形態２の電子装置に係る携帯端末装置の動作処理１４ｅの動作手順を示す図である。動作処理１４ｅはテレビ録画中にカメラ入力を開始する状態ＩＤ＝１４に対する動作処理である。テレビ録画中にカメラを起動した場合に、動作処理１４ｅではカメラ映像とテレビ映像とを合成して表示し、カメラ入力とテレビ放送視聴とを行いつつ、テレビ放送映像音声とカメラ入力映像音声とを合成して記録する。
【０１５３】
詳細な動作としては、テレビ放送受信を継続し（ステップＳＴ３２０１、ＹＥＳ）、カメラを起動してカメラ映像音声を初期化し（ステップＳＴ３２０３）、テレビ放送録画を停止する（ステップＳＴ３２０４）。
【０１５４】
次にテレビ放送音声を有音出力して音声合成をする場合（ステップＳＴ３２０５、ＹＥＳ、ステップＳＴ３２０６、ＹＥＳ）は、テレビ放送映像をカメラの入力映像と合成して表示し、テレビ放送音声を有音出力しマイクの入力音声と合成して出力し（ステップＳＴ３２０７、ステップＳＴ３２０８）、合成映像と合成音声とを記録する（ステップＳＴ３２０９）。
【０１５５】
また、テレビ放送音声を有音出力し、音声合成をしない場合（ステップＳＴ３２０５、ＹＥＳ、ステップＳＴ３２０６、ＮＯ）は、テレビ放送映像をカメラの入力映像と合成して表示し、テレビ放送音声を有音出力してマイクの入力音声と合成せずに出力し（ステップＳＴ３２１０、ステップＳＴ３２１１）、合成映像とマイク入力音声とを記録する（ステップＳＴ３２１２）。
【０１５６】
また、テレビ放送音声を有音出力しない場合（ステップＳＴ３２０５、ＮＯ）は、テレビ放送映像をカメラの入力映像と合成して表示し、テレビ放送音声を無音出力しマイクの入力音声と合成せずに出力し（ステップＳＴ３２１３、ステップＳＴ３２１４）、合成映像とマイク入力音声とを記録する（ステップＳＴ３２１５）。
【０１５７】
以上のように、テレビ放送映像音声とカメラ入力映像音声とを合成して表示、出力しつつ、合成映像音声を記録することができる。
【０１５８】
カメラを終了する場合（ステップＳＴ３２１６、ＹＥＳ）は、カメラ撮影状態の場合は保存処理を行いカメラ入力を終了し、カメラ撮影準備状態の場合はカメラ入力を終了し（ステップＳＴ３２１７）、テレビ放送映像音声とカメラ入力映像音声との合成を終了し（ステップＳＴ３２１８）、テレビ放送録画を再開してテレビ放送映像を再表示しテレビ放送音声の出力を継続する（ステップＳＴ３２１９）。
【０１５９】
また、カメラ入力中にテレビ放送受信を停止する場合（ステップＳＴ３２１６、ＮＯ、ステップＳＴ３２０１、ＮＯ）は、テレビ放送映像音声とカメラ入力映像音声との合成を終了し（ステップＳＴ３２２１）、テレビ放送録画を終了し、テレビ放送映像出力及びテレビ放送音声出力を停止し、テレビ放送受信を終了し（ステップＳＴ３２２２）、カメラ映像を再表示してカメラ映像及びマイク音声の入力を継続する（ステップＳＴ３２２３）。
【０１６０】
ここで、テレビ放送録画状態でカメラ撮影を行う場合は、テレビ放送録画を一時停止し、両者の映像音声を合成してカメラ撮影として記録する。また、テレビ放送録画を終了する場合は、合成映像音声をカメラ映像音声に切り替え、カメラの入力映像を再表示し、カメラ映像及びマイク音声の入力を継続し、一方、一時停止していたテレビ放送録画を再開する。
【０１６１】
また、テレビ放送録画を一時停止せずに合成映像に切り替えてもよい。また、テレビ放送音声出力で音声合成をしない場合は、テレビ音声をヘッドフォンなどに出力してマイク入力との混在を防ぐこともできる。
【０１６２】
図３４は、本実施の形態２の電子装置に係る携帯端末装置の動作処理１４ｆの動作手順を示す図である。動作処理１４ｆはテレビ録画中にカメラ入力を開始する状態ＩＤ＝１４に対する動作処理である。テレビ録画中にカメラを起動した場合に、動作処理１４ｆではカメラ映像を優先させて表示を継続し、テレビ映像を非表示にして記録媒体に録画し、カメラ入力とテレビ放送録画とを行う。
【０１６３】
なお、この動作手順は図２０に示した動作処理１２ｆと同様であり説明を省略するが、録画が主な目的であるため録画終了後にテレビ放送を閲覧する必要は必ずしも無く、動作処理１２ｆのステップＳＴ２０１３、ステップＳＴ２０１４を動作処理１４ｆでは省略している。
【０１６４】
以上のように、カメラ入力中にテレビ視聴を開始した場合、テレビ視聴中にカメラ入力を開始した場合、カメラ入力中にテレビ録画を開始した場合、テレビ視聴中にカメラ録画を開始した場合に、各動作処理によって、テレビ放送受信機能とカメラ撮影機能とを制御して所望の動作を実現することができる。
（実施の形態３）
以下、本実施の形態３の電子装置について携帯端末装置を例に図面を参照して詳細に説明する。本実施の形態３に係る携帯端末装置は、実施の形態２に係る携帯端末装置に無線機能を追加し、外部機器でテレビ放送を受信して録画し、携帯端末装置に送信するものである。本実施の形態３に係る携帯端末装置の斜視図は図１に示したものと同様であり図示を省略する。
【０１６５】
図３５は、本実施の形態３の電子装置に係る携帯端末装置の外部録画装置との接続状態を示す図である。携帯端末装置３５００は第１の無線手段３５０１によりインターネット回線３５０２を経由して外部録画装置３５０３と通信を行う。また、外部録画装置３５０３が近距離にある場合には、携帯端末装置３５００は第２の無線手段３５０４により赤外線やＢｌｕｅｔｏｏｔｈなどの無線方式を用いて外部録画装置３５０３と直接通信を行う。これらの無線通信により録画開始及び録画停止の指示や録画済みテレビ放送の映像及び音声データをダウンロードすることができる。
【０１６６】
外部録画装置３５０３で録画する場合の情報の流れを説明する。携帯端末装置３５００から外部録画装置３５０３にテレビ番組を録画するように指示する情報の流れと、外部録画装置３５０３で録画された録画番組情報を携帯端末装置３５００で受信する情報の流れとである。
【０１６７】
インターネット回線３５０２を通じて外部録画装置３５０３に指示する場合は、携帯端末装置３５００から第１の無線手段３５０１、インターネット回線３５０２を経て外部録画装置３５０３に録画指示を送信する。
【０１６８】
また、赤外線やＢｌｕｅｔｏｏｔｈなど近距離の無線通信を通じて外部録画装置３５０３に指示する場合は、携帯端末装置３５００から第２の無線手段３５０４を経て外部録画装置３５０３に録画指示を直接送信する。ここで録画指示の場合に送信する情報にチャンネルや番組名などの番組情報や開始時刻及び終了時刻などの情報を含めてもよい。
【０１６９】
外部録画装置３５０３において録画が終了すると、携帯端末装置３５００はインターネット回線３５０２を通じて外部録画装置３５０３に接続している場合は、録画済みテレビ放送をインターネット回線３５０２を通じて受信する。また、赤外線やＢｌｕｅｔｏｏｔｈなど近距離の無線通信を通じて外部録画装置３５０３に接続している場合は、録画済みテレビ放送を直接受信する。
【０１７０】
ここで、録画済みテレビ放送をインターネット回線３５０２経由で受信する場合は、インターネット回線３５０２のサーバー３５０５にいったん保存して、後で受信してもよい。また、録画指示を赤外線やＢｌｕｅｔｏｏｔｈなど近距離の無線通信で行って、録画済みテレビ放送情報をインターネット回線３５０２経由でダウンロードしてもよい。
【０１７１】
図３６は、本実施の形態３の電子装置に係る携帯端末装置３６００の構成を示すブロック図である。なお、図３５で示した携帯端末装置３５００は、二つの無線手段を設けているが、携帯端末装置３６００では、一つの無線手段を設けている。
【０１７２】
携帯端末装置３６００は、テレビ放送を受信するテレビ放送受信部３６０１と、受信又は記録済みのテレビ放送信号の再生処理を行うテレビ放送再生部３６０２と、カメラやマイクから映像や音声を入力する映像音声入力部３６０３と、テレビ放送再生部３６０２又は映像音声入力部３６０３からの映像や音声を出力する出力・記録制御部３６０４と、映像を表示する映像出力部３６０５と、音声を出力する音声出力部３６０６と、映像音声入力部３６０３からの入力映像音声、テレビ放送再生部３６０２からのテレビ放送映像音声及び出力・記録制御部３６０４からの表示出力映像音声を記録する記録部３６０７と、記録したデータを格納する記録媒体３６０８と、一般回線もしくはＢｌｕｅｔｏｏｔｈなどの通信手段により外部装置と無線通信する無線部３６１６と、テレビ放送受信部３６０１、テレビ放送再生部３６０２、映像音声入力部３６０３、出力・記録制御部３６０４、記録部３６０７及び無線部３６１６を制御することによりテレビ放送受信機能とカメラ撮影機能とを制御する競合動作制御部３６０９と、ユーザー操作部３６１３と、第１のアンテナ３６１４と、第２のアンテナ３６１５とを有する。なお、本実施の形態３に係る携帯端末装置３６００は、図２に示した実施の形態１に係る携帯端末装置１０１に第２のアンテナ３６１５と無線部３６１６とを追加したものである。
【０１７３】
無線部３６１６は一般回線などの外部ネットワークもしくは近距離の機器と無線通信を行う。競合動作制御部３６０９はテレビ放送の録画を指示するメッセージを無線部３６１６を通じて外部録画装置に送信する。このメッセージには現在受信しているチャンネル、番組、録画画質、録画時間及び端末固有の識別番号の情報が含まれる。
【０１７４】
また、無線部３６１６は録画指示に対する外部録画装置からの応答を受け取ることもできる。また、競合動作制御部３６０９からの録画開始又は録画停止の指示を送信し、外部録画装置からこれらの指示に対する応答を受け取ることができる。また、外部録画装置で録画された番組をダウンロードし、記録媒体に保存又は保存しながらストリーミング再生することができる。また、ダウンロードするためのアドレス情報を外部録画装置から受信して保存し、後でアドレス情報の参照から録画済みテレビ放送のダウンロードを行うことができる。
【０１７５】
図３７は、本実施の形態３の電子装置に係る携帯端末装置の動作手順を示す図である。カメラ撮影機能とテレビ放送受信機能との競合動作状態での動作手順を示している。
【０１７６】
なお、本実施の形態３に係る携帯端末装置の動作手順は、図１４に示した実施の形態２に係る携帯端末装置の動作手順に無線通信機能を用いた動作手順が追加されたものであり、競合状態ＩＤ＝２１、２２、２３、２４に対してそれぞれ動作処理２１ｇ、２２ｇ、２３ｇ、２４ｇが追加されている。したがって、それ以外の競合状態ＩＤ＝２１に対する動作処理２１ａ〜２１ｆ、競合状態ＩＤ＝２２に対する動作処理２２ａ〜２２ｆ、競合状態ＩＤ＝２３に対する動作処理２３ａ〜２３ｆ、競合状態ＩＤ＝２４に対する動作処理２４ａ〜２４ｆについては、実施の形態２に係る携帯端末装置のものと同様であり説明を省略する。
【０１７７】
以下、競合状態ＩＤ＝２１に対する動作処理２１ｇ、競合動作ＩＤ＝２２に対する動作処理２２ｇ、競合動作ＩＤ＝２３に対する動作処理２３ｇ、競合動作ＩＤ＝２４に対する動作処理２４ｇについて図を用いて説明する。
【０１７８】
図３８は、本実施の形態３の電子装置に係る携帯端末装置の動作処理２１ｇの動作手順を示す図である。動作処理２１ｇはカメラ入力中にテレビ放送視聴を開始する状態ＩＤ＝２１に対する動作処理である。カメラ入力中にテレビ放送視聴を開始した場合に、動作処理２１ｇではカメラ映像を優先させて表示を継続し、テレビ放送受信を停止する代わりに外部録画装置で録画してカメラ入力を優先させて行い、後で中断したテレビ放送を視聴する。
【０１７９】
詳細な動作としては、カメラ入力を継続し（ステップＳＴ３８０１、ＹＥＳ）、テレビ放送外部録画開始処理を行いテレビ放送を外部録画装置において録画し（ステップＳＴ３８０３）、カメラ映像を表示してカメラ映像及びマイク音声の入力を継続する（ステップＳＴ３８０４）。
【０１８０】
以上のように、カメラ入力映像を継続表示し、テレビ放送を外部録画装置により録画することで、携帯端末装置でのテレビ放送受信を中止してカメラ入力を継続することができる。
【０１８１】
テレビ放送視聴を終了する場合（ステップＳＴ３８０５、ＹＥＳ）は、テレビ放送外部録画終了処理を行い（ステップＳＴ３８０６）、カメラ入力中に外部録画装置で録画した番組の取得を行う外部録画済みテレビ放送取得処理を行い、外部録画をダウンロードしてその場で再生、又は後で再生するために保存又はダウンロードリストとして記録し（ステップＳＴ３８０７）、カメラ映像を表示してカメラ映像及びマイク音声の入力を継続する（ステップＳＴ３８０８）。
【０１８２】
また、テレビ放送外部録画中にカメラ入力を停止する場合（ステップＳＴ３８０５、ＮＯ、ステップＳＴ３８０１、ＮＯ）は、カメラ撮影状態であれば保存処理を行いカメラを終了し、カメラ撮影準備状態にあればカメラを終了し（ステップＳＴ３８１０）、テレビ放送外部録画終了処理を行い（ステップＳＴ３８１１）、カメラ入力中に外部録画装置で録画した番組の取得を行う外部録画済みテレビ放送取得処理を行い（ステップＳＴ３８１２）、再びテレビ放送受信を開始し、テレビ放送映像を表示してテレビ放送音声の出力を再開する（ステップＳＴ３８１３）。
【０１８３】
ここで、テレビ放送外部録画開始処理、テレビ放送外部録画終了処理、外部録画済みテレビ放送取得処理の詳細について、それぞれ図３９、図４０、図４１を用いて説明する。
【０１８４】
図３９は、本実施の形態３の電子装置に係る携帯端末装置のテレビ放送外部録画開始処理の動作手順を示す図である。テレビ放送外部録画開始処理を行うに当り、まず、チャンネルや視聴開始時間など視聴予定のテレビ受信情報を携帯端末装置において取得し（ステップＳＴ３９０１）、この情報とともに外部録画装置へテレビ放送録画開始指示を無線部を通じて送信する（ステップＳＴ３９０２）。そして外部録画装置で装置の初期化やテレビ受信開始処理などを行い、テレビ放送録画を開始し（ステップＳＴ３９０３）、録画開始完了通知を無線部を通じて携帯端末装置で受け取る（ステップＳＴ３９０４）。これにより外部録画装置での録画を開始する。
【０１８５】
次に、カメラ撮影を優先させるための携帯端末装置におけるテレビ受信の終了処理を行う。ここで、携帯端末装置において、録画完了通知を受け取った後に、テレビ放送を携帯端末装置において受信中で（ステップＳＴ３９０５、ＹＥＳ）、なおかつテレビ放送内部録画中の場合（ステップＳＴ３９０６、ＹＥＳ）はテレビ放送録画を停止し（ステップＳＴ３９０７）、テレビ放送受信を停止する（ステップＳＴ３８０８）。携帯端末装置においてテレビ放送を受信しているがテレビ放送内部録画中でない場合（ステップＳＴ３９０５、ＹＥＳ、ステップＳＴ３９０６、ＮＯ）は、テレビ放送受信を停止する（ステップＳＴ３８０８）。携帯端末装置においてテレビ放送受信していない場合（ステップＳＴ３９０５、ＮＯ）は、すでにテレビ放送受信停止状態であり終了処理は行わない。
【０１８６】
以上をもって外部録画開始処理が終了する。
【０１８７】
なお、図３８に示した動作処理２１ｇでは、外部録画開始処理において、携帯端末装置のテレビ放送受信をしていないため、カメラ撮影を優先させるための携帯端末装置のテレビ受信の終了処理を行わない。
【０１８８】
図４０は、本実施の形態３の電子装置に係る携帯端末装置のテレビ放送外部録画終了処理の動作手順を示す図である。テレビ放送外部録画終了処理を行うに当り、まず、外部録画装置へテレビ放送録画終了指示を行う（ステップＳＴ４００１）。すると外部録画装置では、テレビ録画を終了し、録画番組を保存する。正常に終了した場合に外部録画装置は録画停止完了通知を送信し、それを携帯端末装置で受信する（ステップＳＴ４００２）。そして外部録画装置が送信する録画済みテレビ放送の録画番組保存先を示すアドレス、録画済みテレビ放送のファイル容量、録画時間、録画番組のチャンネル・番組名などの録画済みテレビ放送に関する情報を携帯端末装置で受信する（ステップＳＴ４００３）。そして、ダウンロードの準備できたことを外部録画装置から受信し（ステップＳＴ４００４）、ダウンロードスタンバイ状態となる。以上によりテレビ放送外部録画終了処理を終了する。
【０１８９】
図４１は、本実施の形態３の電子装置に係る携帯端末装置の外部録画済みテレビ放送取得処理の動作手順を示す図である。外部録画済みテレビ放送取得処理を行うに当り、録画放送を直ちに視聴する場合（ステップＳＴ４１０１、ＹＥＳ）は、録画済みテレビ放送のダウンロードを開始し（ステップＳＴ４１０２）、ダウンロード中もしくはダウンロード終了時から録画済みテレビ放送再生を開始する（ステップＳＴ４１０３）。また、録画放送を直ちに視聴しない場合（ステップＳＴ４１０１、ＮＯ）で、録画放送を直ちにダウンロードする場合（ステップＳＴ４１０４、ＹＥＳ）は、録画放送をダウンロードし（ステップＳＴ４１０５）、ダウンロード完了通知によりダウンロードが完了する（ステップＳＴ４１０６）。一方、直ちにダウンロードしない場合（ステップＳＴ４１０４、ＮＯ）は、ダウンロード先のアドレスなどの情報を外部録画装置から受信していつでもダウンロードできるようにしておく（ステップＳＴ４１０７）。
【０１９０】
以上により外部録画済みテレビ放送取得処理を終了する。なお、外部録画装置に保存された録画済みテレビ放送を直接ダウンロードしてもよいし、インターネット回線のサーバー等にいったん保存して、アドレスのみを携帯端末装置で受信し、後でダウンロードしてもよい。
【０１９１】
また、録画済みテレビ放送を直ちに視聴する場合は、録画済みテレビ放送を視聴しながら現時点で受信したテレビ放送を追加録画してもよいし、異なる表示領域及びひとつの表示領域を切り替えて録画済みテレビ放送の映像と現在のテレビ放送の映像とを表示して両者を視聴できるようにしてもよい。また、録画済みテレビ放送は通常速度で再生してもよいし、通常より速い速度又は遅い速度で再生してもよい。
【０１９２】
また、録画済みテレビ放送を直ちに視聴する場合は、録画済みテレビ放送を視聴しながらカメラ入力を行ってもよいし、異なる表示領域及びひとつの表示領域を切り替えて録画済みテレビ放送映像とカメラ入力映像とを表示して両者を視聴できるようにしてもよい。
【０１９３】
図４２は、本実施の形態３の電子装置に係る携帯端末装置の動作処理２２ｇの動作手順を示す図である。動作処理２２ｇはテレビ放送視聴中にカメラ入力を開始する状態ＩＤ＝２２に対する動作処理である。テレビ放送視聴中にカメラを起動した場合に、動作処理２２ｇでは、カメラ映像を優先させて表示し、テレビ放送受信を停止する代わりに外部録画装置で録画してカメラ入力を優先させて行う。
【０１９４】
詳細な動作としては、テレビ放送視聴を継続し（ステップＳＴ４２０１、ＹＥＳ）、テレビ放送外部録画開始処理を行いテレビ放送を外部録画装置において録画し（ステップＳＴ４２０３）、カメラを起動してカメラ映像音声を初期化し（ステップＳＴ４２０４）、カメラ映像及びマイク音声の入力を行う（ステップＳＴ４２０５）。
【０１９５】
以上のように、カメラ入力映像の表示を優先させ、テレビ放送を外部録画装置によって録画しておくことでカメラ入力を行うことができる。
【０１９６】
カメラを終了する場合（ステップＳＴ４２０６、ＹＥＳ）は、カメラ撮影状態の場合は保存処理を行いカメラ入力を終了し、カメラ撮影準備状態の場合はカメラ入力を終了し（ステップＳＴ４２０７）、テレビ放送外部録画終了処理を行い外部録画処理を停止し（ステップＳＴ４２０８）、カメラ入力中に外部録画装置で録画した番組の取得を行う外部録画済みテレビ放送取得処理を行い外部録画をダウンロードしその場で再生又は後で再生するために保存、又はダウンロードリストとして記録し（ステップＳＴ４２０９）、テレビ放送映像の表示を再開し音声の出力を継続する（ステップＳＴ４２１０）。
【０１９７】
また、カメラ入力中にテレビ放送視聴を停止する場合（ステップＳＴ４２０６、ＮＯ、ステップＳＴ４２０１、ＮＯ）は、テレビ放送外部録画終了処理を行い（ステップＳＴ４２１２）、カメラ入力中に外部録画装置で録画した番組の取得を行う外部録画済みテレビ放送取得処理を行い外部録画をダウンロードしその場で再生又は後で再生するために保存、又はダウンロードリストとして記録し（ステップＳＴ４２１３）、カメラ映像の表示を継続し、カメラの映像音声入力を継続する（ステップＳＴ４２１４）。
【０１９８】
ここで、録画済みテレビ放送を直ちに視聴する場合は、録画済みテレビ放送を視聴しながら現時点で受信したテレビ放送を追加録画してもよいし、異なる表示領域及びひとつの表示領域を切り替えて録画済みテレビ放送映像と現在のテレビ放送映像とを表示して両者を視聴できるようにしてもよい。
【０１９９】
また、録画済みテレビ放送を直ちに視聴する場合は、録画済みテレビ放送を視聴しながら、カメラ入力を行ってもよいし、異なる表示領域及びひとつの表示領域を切り替えて録画済みテレビ放送映像とカメラ入力映像とを表示して両者を視聴できるようにしてもよい。
【０２００】
図４３は、本実施の形態３の電子装置に係る携帯端末装置の動作処理２３ｇの動作手順を示す図である。動作処理２３ｇはカメラ入力中にテレビ放送録画を開始する状態ＩＤ＝２３に対する動作処理である。カメラ入力中にテレビ放送録画を開始した場合に、動作処理２３ｇではカメラ映像を優先させて表示を継続し、テレビ放送受信を停止する代わりに外部録画装置で録画し、カメラ入力を優先させて行い、後で中断したテレビ放送を視聴する。
【０２０１】
なお、この動作手順はステップＳＴ４３１３以外は、図３８に示した動作処理２１ｇと同様のため説明を省略するが、ステップＳＴ４３１３では、テレビ外部録画中にカメラ入力を停止して外部録画済みテレビ放送取得処理（ステップＳＴ４３１２）の後にテレビ放送受信開始とともにテレビ放送内部録画を開始し、テレビ放送映像を表示してテレビ放送音声の出力を再開する（ステップＳＴ４３１３）。つまり、カメラ入力中には外部録画装置でテレビ放送を録画していたが、カメラ終了した場合に外部録画装置でのテレビ放送録画を終了し、携帯端末装置内部でテレビ放送を録画するものである。もちろん、この場合に装置の切り替えを行わずに、携帯端末装置でのテレビ放送の映像表示及び音声出力のみを再開し、テレビ放送の外部録画装置での録画を継続してもよい。
【０２０２】
図４４は、本実施の形態３の電子装置に係る携帯端末装置の動作処理２４ｇの動作手順を示す図である。動作処理２４ｇはテレビ録画中にカメラ入力を開始する状態ＩＤ＝２４に対する動作処理である。テレビ録画中にカメラを起動した場合に、動作処理２４ｇでは、カメラ映像を優先させて表示し、テレビ放送録画を停止する代わりに外部録画装置で録画開始してカメラ入力を優先させて行う。
【０２０３】
なお、この動作手順はステップＳＴ４４１０以外は、図４２に示した動作処理２２ｇと同様のため説明を省略するが、ステップＳＴ４４１０では、カメラ入力を停止した場合（ステップＳＴ４４０７）の外部録画済みテレビ放送取得処理（ステップＳＴ４４０９）の後にテレビ放送受信再開とともにテレビ放送内部録画を再開し、テレビ放送映像を表示してテレビ放送音声の出力を再開する（ステップＳＴ４４１０）。つまり、カメラ入力前までは携帯端末装置の内部でテレビ放送を録画していたが、カメラ入力中は外部録画装置でテレビ放送を録画するように切り替え、カメラ終了と共に外部録画装置でのテレビ放送を終了し、再び携帯端末装置内部でテレビ放送の録画を行う。もちろん、この場合に装置の切り替えを行わずに、携帯端末装置でのテレビ放送の映像表示・音声出力を再開し、テレビ放送の外部録画装置での録画を継続してもよい。
【０２０４】
以上のように、カメラ入力中にテレビ視聴を開始した場合、テレビ視聴中にカメラ入力を開始した場合、カメラ入力中にテレビ録画を開始した場合、テレビ視聴中にカメラ録画を開始した場合に、各動作処理によって、テレビ放送受信機能とカメラ撮影機能とを制御して所望の動作を実現することができる。
【産業上の利用可能性】
【０２０５】
本発明の電子装置は、出力・記録制御部と、競合動作制御部と、ユーザー操作部とを有し、映像音声入力とテレビ放送受信との競合状態を検知し、映像音声入力とテレビ放送受信とを制御することができるもので、携帯電話や携帯端末などの電子装置に適用できるものである。
【図面の簡単な説明】
【０２０６】
【図１】本発明の実施の形態１の電子装置に係る携帯端末装置の斜視図
【図２】本発明の実施の形態１の電子装置に係る携帯端末装置の構成を示すブロック図
【図３】本発明の実施の形態１の電子装置に係る携帯端末装置の動作処理テーブルの例を示した図
【図４】本発明の実施の形態１の電子装置に係る携帯端末装置の動作手順を示す図
【図５】本発明の実施の形態１の電子装置に係る携帯端末装置の動作処理０１ａの動作手順を示す図
【図６】本発明の実施の形態１の電子装置に係る携帯端末装置の動作処理０１ｂの動作手順を示す図
【図７】本発明の実施の形態１の電子装置に係る携帯端末装置の動作処理０１ｃの動作手順を示す図
【図８】本発明の実施の形態１の電子装置に係る携帯端末装置の動作処理０１ｄの動作手順を示す図
【図９】本発明の実施の形態１の電子装置に係る携帯端末装置の動作処理０２ａの動作手順を示す図
【図１０】本発明の実施の形態１の電子装置に係る携帯端末装置の動作処理０２ｂの動作手順を示す図
【図１１】本発明の実施の形態１の電子装置に係る携帯端末装置の動作処理０２ｃの動作手順を示す図
【図１２】本発明の実施の形態１の電子装置に係る携帯端末装置の動作処理０２ｄの動作手順を示す図
【図１３】本発明の実施の形態２の電子装置に係る携帯端末装置の構成を示すブロック図
【図１４】本発明の実施の形態２の電子装置に係る携帯端末装置の動作手順を示す図
【図１５】本発明の実施の形態２の電子装置に係る携帯端末装置の動作処理１１ｅの動作手順を示す図
【図１６】本発明の実施の形態２の電子装置に係る携帯端末装置の動作処理１１ｅの動作手順を示す図
【図１７】本発明の実施の形態２の電子装置に係る携帯端末装置の動作処理１１ｆの動作手順を示す図
【図１８】本発明の実施の形態２の電子装置に係る携帯端末装置の動作処理１２ｅの動作手順を示す図
【図１９】本発明の実施の形態２の電子装置に係る携帯端末装置の動作処理１２ｅの動作手順を示す図
【図２０】本発明の実施の形態２の電子装置に係る携帯端末装置の動作処理１２ｆの動作手順を示す図
【図２１】本発明の実施の形態２の電子装置に係る携帯端末装置の動作処理１３ａの動作手順を示す図
【図２２】本発明の実施の形態２の電子装置に係る携帯端末装置の動作処理１３ｂの動作手順を示す図
【図２３】本発明の実施の形態２の電子装置に係る携帯端末装置の動作処理１３ｃの動作手順を示す図
【図２４】本発明の実施の形態２の電子装置に係る携帯端末装置の動作処理１３ｄの動作手順を示す図
【図２５】本発明の実施の形態２の電子装置に係る携帯端末装置の動作処理１３ｅの動作手順を示す図
【図２６】本発明の実施の形態２の電子装置に係る携帯端末装置の動作処理１３ｅの動作手順を示す図
【図２７】本発明の実施の形態２の電子装置に係る携帯端末装置の動作処理１３fの動作手順を示す図
【図２８】本発明の実施の形態２の電子装置に係る携帯端末装置の動作処理１４ａの動作手順を示す図
【図２９】本発明の実施の形態２の電子装置に係る携帯端末装置の動作処理１４ｂの動作手順を示す図
【図３０】本発明の実施の形態２の電子装置に係る携帯端末装置の動作処理１４ｃの動作手順を示す図
【図３１】本発明の実施の形態２の電子装置に係る携帯端末装置の動作処理１４ｄの動作手順を示す図
【図３２】本発明の実施の形態２の電子装置に係る携帯端末装置の動作処理１４ｅの動作手順を示す図
【図３３】本発明の実施の形態２の電子装置に係る携帯端末装置の動作処理１４ｅの動作手順を示す図
【図３４】本発明の実施の形態２の電子装置に係る携帯端末装置の動作処理１４ｆの動作手順を示す図
【図３５】本発明の実施の形態３の電子装置に係る携帯端末装置の外部録画装置との接続状態を示す図
【図３６】本発明の実施の形態３の電子装置に係る携帯端末装置の構成を示すブロック図
【図３７】本発明の実施の形態３の電子装置に係る携帯端末装置の動作手順を示す図
【図３８】本発明の実施の形態３の電子装置に係る携帯端末装置の動作処理２１ｇの動作手順を示す図
【図３９】本発明の実施の形態３の電子装置に係る携帯端末装置のテレビ放送外部録画開始処理の動作手順を示す図
【図４０】本発明の実施の形態３の電子装置に係る携帯端末装置のテレビ放送外部録画終了処理の動作手順を示す図
【図４１】本発明の実施の形態３の電子装置に係る携帯端末装置の外部録画済みテレビ放送取得処理の動作手順を示す図
【図４２】本発明の実施の形態３の電子装置に係る携帯端末装置の動作処理２２ｇの動作手順を示す図
【図４３】本発明の実施の形態３の電子装置に係る携帯端末装置の動作処理２３ｇの動作手順を示す図
【図４４】本発明の実施の形態３の電子装置に係る携帯端末装置の動作処理２４ｇの動作手順を示す図
【符号の説明】
【０２０７】
１０１，１３００，３５００    携帯端末装置
１１１，１１２，１１３    表示領域
１２１，１２２    カメラ
２０１，１３０１    テレビ放送受信部
２０２，１３０２    テレビ放送再生部
２０３，１３０３    映像音声入力部
２０４，１３０４    出力・記録制御部
２０５，１３０５    映像出力部
２０６，１３０６    音声出力部
２０７，１３０７    記録部
２０８，１３０８    記録媒体
２０９，１３０９    競合動作制御部
３５０３    外部録画手段
【図１】
2008099107.tif 000003
【図２】
2008099107.tif 000004
【図３】
2008099107.tif 000005
【図４】
2008099107.tif 000006
【図５】
2008099107.tif 000007
【図６】
2008099107.tif 000008
【図７】
2008099107.tif 000009
【図８】
2008099107.tif 000010
【図９】
2008099107.tif 000011
【図１０】
2008099107.tif 000012
【図１１】
2008099107.tif 000013
【図１２】
2008099107.tif 000014
【図１３】
2008099107.tif 000015
【図１４】
2008099107.tif 000016
【図１５】
2008099107.tif 000017
【図１６】
2008099107.tif 000018
【図１７】
2008099107.tif 000019
【図１８】
2008099107.tif 000020
【図１９】
2008099107.tif 000021
【図２０】
2008099107.tif 000022
【図２１】
2008099107.tif 000023
【図２２】
2008099107.tif 000024
【図２３】
2008099107.tif 000025
【図２４】
2008099107.tif 000026
【図２５】
2008099107.tif 000027
【図２６】
2008099107.tif 000028
【図２７】
2008099107.tif 000029
【図２８】
2008099107.tif 000030
【図２９】
2008099107.tif 000031
【図３０】
2008099107.tif 000032
【図３１】
2008099107.tif 000033
【図３２】
2008099107.tif 000034
【図３３】
2008099107.tif 000035
【図３４】
2008099107.tif 000036
【図３５】
2008099107.tif 000037
【図３６】
2008099107.tif 000038
【図３７】
2008099107.tif 000039
【図３８】
2008099107.tif 000040
【図３９】
2008099107.tif 000041
【図４０】
2008099107.tif 000042
【図４１】
2008099107.tif 000043
【図４２】
2008099107.tif 000044
【図４３】
2008099107.tif 000045
【図４４】
2008099107.tif 000046